【事件の表示】
　特願２０１４−２３０１４７「データエントリーシステム」拒絶査定不服審判事件〔平成２８年　５月２６日出願公開、特開２０１６−　９５５９２、請求項の数（６）〕について、次のとおり審決する。
【結　論】
　原査定を取り消す。
　本願の発明は、特許すべきものとする。
【理　由】
第１　手続の経緯
　本願は，平成２６年１１月１２日を出願日とする特許出願であって，平成２７年３月２３日付けで拒絶の理由が通知され，これに対し，平成２７年５月２９日付けで意見書及び手続補正書が提出され，平成２７年８月２０日付けで拒絶査定がされ（謄本送達日同年８月２５日），これに対し，平成２７年１１月２５日に拒絶査定不服審判の請求がされ，同時に手続補正がされたものである。
　そして，平成２８年２月４日付けで審査官により作成された前置報告書について，審判請求人は平成２８年４月１８日付けで上申書を提出した。
第２　平成２７年１１月２５日付けの手続補正（以下，「本件補正」という。）の適否
１．本件補正について
（１）本件補正により，特許請求の範囲は，次のとおり補正された（下線部は補正箇所である。）。
「【請求項１】
　保護情報が記載された帳票からなる原本シートをスキャンニングして前記原本シートに基づくイメージデータを生成するスキャンニング手段を備えたクライアントコンピュータと，
　前記クライアントコンピュータに通信ネットワークを介して接続されるデータエントリーサービスを提供するサーバコンピュータと，
　前記通信ネットワークに接続されて前記原本シートのデータ入力を行う前記サーバコンピュータとデータ通信可能な複数の情報端末と，から成るデータエントリーシステムであって，
　前記クライアントコンピュータは，
　前記原本シートを前記スキャンニング手段によって生成した原本イメージデータを前記帳票のデータ項目のそれぞれに対応する複数の分割イメージデータに分割するイメージデータ分割手段と，
　前記複数の分割イメージデータのそれぞれに暗号化した識別データを付与
し，前記暗号化した識別データが付与された分割イメージデータをそれぞれ対応する
　前記暗号化した識別データが付与されたデータ項目毎の複数の分割イメージデータを各データ項目内でシャッフルして前記サーバコンピュータに前記通信ネットワークを介して送信する分割イメージデータ送信手段と，
　前記情報端末を介して入力された前記原本シートに対応するエントリー入力データを前記サーバコンピュータから受信し，該エントリー入力データに付与された暗号化した識別データを復号して原本イメージデータに対応するテキストデータとして合成する手段と，
を備え，
　前記サーバコンピュータは，
　前記クライアントコンピュータから送信された前記暗号化した識別データが付与された複数の分割イメージデータを顧客毎又は書類種別毎にまとめて１つの束（バッチ）としてバッチファイルを構成し，該バッチファイル毎に少なくとも所定の識別情報及び納期に関するバッチ情報を付加して記憶部に保存するエントリー用データ受付け手段と，
　前記記憶部に保存された前記バッチファイルの中から，前記バッチ情報に基づいて選択したバッチファイルを，予め設定した複数の作業単位に分割して複数のエントリー用分割イメージデータファイルとして前記記憶部に保存する作業ファイル作成手段と，
　前記複数の情報端末からのアクセスに応答して，前記複数のエントリー用分割イメージデータファイルの中から前記複数の情報端末のそれぞれに個別のエントリー用分割イメージデータファイルを選択して送信するエントリー用データ送信手段と，
　前記複数の情報端末から前記複数のエントリー用分割イメージデータファイルに対するエントリー入力データを受信して，該受信したエントリー入力データを前記分割イメージデータに対応付けて前記記憶部に保存するエントリー入力データ受付け手段と，
　前記複数のエントリー用分割イメージデータファイルに対する前記エントリー入力データが全て揃ったことが確認されると，前記記憶部に保存した前記バッチファイル毎に対する全てのエントリー入力データを，前記エントリー入力データに対応付けて記憶された前記分割イメージデータと共に前記クライアントコンピュータに送信するエントリー入力済データ送信手段と，を備え，
　前記複数の情報端末のそれぞれは，
　
前記通信ネットワークに接続された不特定多数のパーソナルコンピュータ（ＰＣ），タブレットコンピュータ，及びスマートフォンのうちの少なくともいずれかの文字入力が可能な携帯端末であって，
　
前記携帯端末の利用者が前記原本シートのデータ入力を行うエントリー者として前記サーバコンピュータにアクセス可能に登録及び認証される手段と，
　前記通信ネットワークを介して前記サーバコンピュータに接続し
て，該サーバコンピュータからエントリー用分割イメージデータファイルを受信する分割イメージデータファイル受信手段と，
　
前記
に含まれる個々の分割イメージ
順次に
画面出力
　前記
順次に画面
る個々の
をテキストデータとして入力するための入力手段と，
　
前記入力手段を用いて入力した
タを対応付け
　前記生成したエントリー入力データを前記サーバコンピュータに送信する手段と，
　
前記サーバコンピュータから受信した前記エントリー用分割イメージデータファイルに対する全てのエントリー入力が，予め設定された入力制限時間内に完了したか否かを確認するエントリー作業完了確認手段と，
　　【請求項２】
　保護情報が記載された帳票からなる原本シートをスキャンニングして前記原本シートに基づくイメージデータを生成する手段を備えた原稿読み取り装置と，
　前記原稿読み取り装置に通信ネットワークを介して接続されるデータエントリーサービスを提供するサーバコンピュータと，
　前記通信ネットワークに接続されて前記原本シートのデータ入力を行う前記サーバコンピュータとデータ通信可能な複数の情報端末と，から成るデータエントリーシステムであって，
　前記原稿読み取り装置は，
　保護情報が記載された帳票からなる原本シートをスキャンニングして原本シートに基づく原本イメージデータを生成するスキャンニング手段と，
　前記原本シートに基づく原本イメージデータを前記サーバコンピュータに前記通信ネットワークを介して送信するイメージデータ送信手段と，を備え，
　前記サーバコンピュータは，
　前記原稿読み取り装置から送信された前記原本イメージデータを受信して，該受信した原本イメージデータを前記帳票のデータ項目のそれぞれに対応する複数の分割イメージデータに分割するイメージデータ分割手段と，
　前記複数の分割イメージデータのそれぞれに暗号化した識別データを付与
し，前記暗号化した識別データが付与された分割イメージデータをそれぞれ対応する
　前記原稿読み取り装置から受信した原本イメージデータに対して，該原本イメージデータのそれぞれに対応する暗号化した識別データが付与された複数の分割イメージデータを１つの束（バッチ）にまとめてバッチファイルを構成し，該バッチファイル毎に少なくとも所定の識別情報及び納期に関するバッチ情報を付加し，前記暗号化した識別データが付与されたデータ項目毎の複数の分割イメージデータを各データ項目内でシャッフルして記憶部に保存するエントリー用データ受付け手段と，
　前記記憶部に保存された前記バッチファイルの中から，前記バッチ情報に基づいて選択したバッチファイルを，予め設定した複数の作業単位に分割して複数のエントリー用分割イメージデータファイルとして前記記憶部に保存する作業ファイル作成手段と，
　前記複数の情報端末からのアクセスに応答して，前記複数のエントリー用分割イメージデータファイルの中から前記複数の情報端末のそれぞれに個別のエントリー用分割イメージデータファイルを選択して送信するエントリー用データ送信手段と，
　前記複数の情報端末から前記複数のエントリー用分割イメージデータファイルに対するエントリー入力データを受信して，該受信したエントリー入力データが全て揃ったことが確認されると，前記バッチファイル毎に対応する全てのエントリー入力データを，前記エントリー入力データに付与された暗号化した識別データを復号して原本イメージデータに対応するテキストデータとして合成する手段と，を備え，
　前記複数の情報端末のそれぞれは，
　
前記通信ネットワークに接続された不特定多数のパーソナルコンピュータ（ＰＣ），タブレットコンピュータ，及びスマートフォンのうちの少なくともいずれかの文字入力が可能な携帯端末であって，
　
前記携帯端末の利用者が前記原本シートのデータ入力を行うエントリー者として前記サーバコンピュータにアクセス可能に登録及び認証される手段と，
　前記通信ネットワークを介して前記サーバコンピュータに接続し
て，該サーバコンピュータからエントリー用分割イメージデータファイルを受信する分割イメージデータファイル受信手段と，
　
前記
に含まれる個々の分割イメージ
順次に
画面出力
　前記
順次に画面
る個々の
をテキストデータとして入力するための入力手段と，
　
前記入力手段を用いて入力した
タを対応付け
　前記生成したエントリー入力データを前記サーバコンピュータに送信する手段と，
　
前記サーバコンピュータから受信した前記エントリー用分割イメージデータファイルに対する全てのエントリー入力が，予め設定された入力制限時間内に完了したか否かを確認するエントリー作業完了確認手段と，
　　【請求項
３
　前記サーバコンピュータのエントリー用データ送信手段は，１つのエントリー用分割イメージデータファイルを複数の情報端末に送信し，
　前記サーバコンピュータのエントリー入力データ受付け手段は，
　１つのエントリー用分割イメージデータファイルが異なる情報端末でテキスト入力された複数のエントリー入力データの内容が一致しているか否かを判断するエントリー入力データ一致判断手段と，
　前記エントリー入力データ一致判断手段が不一致と判断した場合，正しいデータを入力するために管理者の端末に前記エントリー入力データを送信するスーパーバイジング依頼送信手段と，
　前記管理者の端末から送信された判定データを受信して正規データとして記憶部に保存する正規データ受信手段と，を有することを特徴とする請求項１
又は２
　　【請求項
４
　前記サーバコンピュータは，
　前記複数の情報端末のそれぞれに送信した前記エントリー用分割イメージデータファイルに対する全てのエントリー入力が，予め設定された入力制限時間内に完了したか否かを確認するエントリー作業完了確認手段と，
　前記エントリー用分割イメージデータファイルに対する全てのエントリー入力が，予め設定された入力制限時間内に完了しない場合，前記情報端末との接続を解除して前記エントリー用分割イメージデータファイルを他の情報端末に自動的に送信するエントリー作業再送信手段と，を更に有することを特徴とする請求項１
又は２
　　【請求項
５
　前記サーバコンピュータは，前記複数のエントリー者のそれぞれから情報端末を利用して受信したテキストデータ量に応じてエントリー者のそれぞれのアカウントにポイントを付与し，該
付与した
の
付与した
の
１又は２
　　【請求項
６
　前記情報端末で前記データエントリー入力作業を実行させるアプリケーションプログラムは，前記情報端末からの要請に応じて，前記通信ネットワークに接続されたアプリケーションプログラム配信サーバから提供されることを特徴とする請求項１
又は２
（２）本件補正前の，平成２７年５月２９日付の手続補正による特許請求の範囲の記載は次のとおりである。
「【請求項１】
　保護情報が記載された帳票からなる原本シートをスキャンニングして前記原本シートに基づくイメージデータを生成するスキャンニング手段を備えたクライアントコンピュータと，
　前記クライアントコンピュータに通信ネットワークを介して接続されるデータエントリーサービスを提供するサーバコンピュータと，
　前記通信ネットワークに接続されて前記原本シートのデータ入力を行う前記サーバコンピュータとデータ通信可能な複数の情報端末と，から成るデータエントリーシステムであって，
　前記クライアントコンピュータは，
　前記原本シートを前記スキャンニング手段によって生成した原本イメージデータを前記帳票のデータ項目のそれぞれに対応する複数の分割イメージデータに分割するイメージデータ分割手段と，
　前記複数の分割イメージデータのそれぞれに暗号化した識別データを付与して，データ項目毎に前記クライアントコンピュータの記憶部に保存する暗号化識別データ付与手段と，
　前記暗号化した識別データが付与されたデータ項目毎の複数の分割イメージデータを各データ項目内でシャッフルして前記サーバコンピュータに前記通信ネットワークを介して送信する分割イメージデータ送信手段と，
　前記情報端末を介して入力された前記原本シートに対応するエントリー入力データを前記サーバコンピュータから受信し，該エントリー入力データに付与された暗号化した識別データを復号して原本イメージデータに対応するテキストデータとして合成する手段と，
を備え，
　前記サーバコンピュータは，
　前記クライアントコンピュータから送信された前記暗号化した識別データが付与された複数の分割イメージデータを顧客毎又は書類種別毎にまとめて１つの束（バッチ）としてバッチファイルを構成し，該バッチファイル毎に少なくとも所定の識別情報及び納期に関するバッチ情報を付加して記憶部に保存するエントリー用データ受付け手段と，
　前記記憶部に保存された前記バッチファイルの中から，前記バッチ情報に基づいて選択したバッチファイルを，予め設定した複数の作業単位に分割して複数のエントリー用分割イメージデータファイルとして前記記憶部に保存する作業ファイル作成手段と，
　前記複数の情報端末からのアクセスに応答して，前記複数のエントリー用分割イメージデータファイルの中から前記複数の情報端末のそれぞれに個別のエントリー用分割イメージデータファイルを選択して送信するエントリー用データ送信手段と，
　前記複数の情報端末から前記複数のエントリー用分割イメージデータファイルに対するエントリー入力データを受信して，該受信したエントリー入力データを前記分割イメージデータに対応付けて前記記憶部に保存するエントリー入力データ受付け手段と，
　前記複数のエントリー用分割イメージデータファイルに対する前記エントリー入力データが全て揃ったことが確認されると，前記記憶部に保存した前記バッチファイル毎に対する全てのエントリー入力データを，前記エントリー入力データに対応付けて記憶された前記分割イメージデータと共に前記クライアントコンピュータに送信するエントリー入力済データ送信手段と，を備え，
　前記複数の情報端末のそれぞれは，
　前記通信ネットワークを介して前記サーバコンピュータに接続し，受信したエントリー用分割イメージデータファイルを前記情報端末が備える画面に表示する手段と，
　前記表示された分割イメージに基づいて生成されたテキストデータに，前記分割イメージデータに付与された暗号化した識別データを添付してエントリー入力データを生成する手段と，
　前記生成したエントリー入力データを前記サーバコンピュータに送信する手段と，を備えることを特徴とするデータエントリーシステム。
　　【請求項２】
　保護情報が記載された帳票からなる原本シートをスキャンニングして前記原本シートに基づくイメージデータを生成する手段を備えた原稿読み取り装置と，
　前記原稿読み取り装置に通信ネットワークを介して接続されるデータエントリーサービスを提供するサーバコンピュータと，
　前記通信ネットワークに接続されて前記原本シートのデータ入力を行う前記サーバコンピュータとデータ通信可能な複数の情報端末と，から成るデータエントリーシステムであって，
　前記原稿読み取り装置は，
　保護情報が記載された帳票からなる原本シートをスキャンニングして原本シートに基づく原本イメージデータを生成するスキャンニング手段と，
　前記原本シートに基づく原本イメージデータを前記サーバコンピュータに前記通信ネットワークを介して送信するイメージデータ送信手段と，を備え，
　前記サーバコンピュータは，
　前記原稿読み取り装置から送信された前記原本イメージデータを受信して，該受信した原本イメージデータを前記帳票のデータ項目のそれぞれに対応する複数の分割イメージデータに分割するイメージデータ分割手段と，
　前記複数の分割イメージデータのそれぞれに暗号化した識別データを付与して，データ項目毎にサーバコンピュータの記憶部に保存する暗号化識別データ付与手段と，
　前記原稿読み取り装置から受信した原本イメージデータに対して，該原本イメージデータのそれぞれに対応する暗号化した識別データが付与された複数の分割イメージデータを１つの束（バッチ）にまとめてバッチファイルを構成し，該バッチファイル毎に少なくとも所定の識別情報及び納期に関するバッチ情報を付加し，前記暗号化した識別データが付与されたデータ項目毎の複数の分割イメージデータを各データ項目内でシャッフルして記憶部に保存するエントリー用データ受付け手段と，
　前記記憶部に保存された前記バッチファイルの中から，前記バッチ情報に基づいて選択したバッチファイルを，予め設定した複数の作業単位に分割して複数のエントリー用分割イメージデータファイルとして前記記憶部に保存する作業ファイル作成手段と，
　前記複数の情報端末からのアクセスに応答して，前記複数のエントリー用分割イメージデータファイルの中から前記複数の情報端末のそれぞれに個別のエントリー用分割イメージデータファイルを選択して送信するエントリー用データ送信手段と，
　前記複数の情報端末から前記複数のエントリー用分割イメージデータファイルに対するエントリー入力データを受信して，該受信したエントリー入力データが全て揃ったことが確認されると，前記バッチファイル毎に対応する全てのエントリー入力データを，前記エントリー入力データに付与された暗号化した識別データを復号して原本イメージデータに対応するテキストデータとして合成する手段と，を備え，
　前記複数の情報端末のそれぞれは，
　前記通信ネットワークを介して前記サーバコンピュータに接続し，受信したエントリー用分割イメージデータファイルを前記情報端末が備える画面に表示する手段と，
　前記表示された分割イメージに基づいて生成されたテキストデータに，前記分割イメージデータに付与された暗号化した識別データを添付してエントリー入力データを生成する手段と，
　前記生成したエントリー入力データを前記サーバコンピュータに送信する手段と，を備えることを特徴とするデータエントリーシステム。
　　【請求項３】
　前記複数の情報端末のそれぞれは，
　前記通信ネットワークに接続された不特定多数のパーソナルコンピュータ（ＰＣ），タブレットコンピュータ，及びスマートフォンのうちの少なくともいずれかの文字入力が可能な携帯端末を含み，
　前記携帯端末の利用者が前記原本シートのデータ入力を行うエントリー者として前記サーバコンピュータにアクセス可能に登録及び認証される手段と，
　前記サーバコンピュータからエントリー用分割イメージデータファイルを受信する分割イメージデータファイル受信手段と，
　受信したエントリー用分割イメージデータファイルを該エントリー用分割イメージデータファイルに含まれる個々の分割イメージを順次に画面出力する画面出力手段と，
　前記順次に画面表示される個々の分割イメージをテキストデータとして入力するための入力手段と，
　前記入力手段を用いて入力したテキストデータを，前記分割イメージに対応付けて前記サーバコンピュータに送信するエントリー入力データ送信手段と，を有することを特徴とする請求項１又は２に記載のデータエントリーシステム。
　　【請求項４】
　前記サーバコンピュータのエントリー用データ送信手段は，１つのエントリー用分割イメージデータファイルを複数の情報端末に送信し，
　前記サーバコンピュータのエントリー入力データ受付け手段は，
　１つのエントリー用分割イメージデータファイルが異なる情報端末でテキスト入力された複数のエントリー入力データの内容が一致しているか否かを判断するエントリー入力データ一致判断手段と，
　前記エントリー入力データ一致判断手段が不一致と判断した場合，正しいデータを入力するために管理者の端末に前記エントリー入力データを送信するスーパーバイジング依頼送信手段と，
　前記管理者の端末から送信された判定データを受信して正規データとして記憶部に保存する正規データ受信手段と，を有することを特徴とする請求項１乃至３のいずれかに記載のデータエントリーシステム。
　　【請求項５】
　前記サーバコンピュータは，
　前記複数の情報端末のそれぞれに送信した前記エントリー用分割イメージデータファイルに対する全てのエントリー入力が，予め設定された入力制限時間内に完了したか否かを確認するエントリー作業完了確認手段と，
　前記エントリー用分割イメージデータファイルに対する全てのエントリー入力が，予め設定された入力制限時間内に完了しない場合，前記情報端末との接続を解除して前記エントリー用分割イメージデータファイルを他の情報端末に自動的に送信するエントリー作業再送信手段と，を更に有することを特徴とする請求項１乃至３のいずれかに記載のデータエントリーシステム。
　　【請求項６】
　前記複数の情報端末のそれぞれは，前記サーバコンピュータから受信したエントリー用分割イメージデータファイルに対する全てのエントリー入力が，予め設定された入力制限時間内に完了したか否かを確認するエントリー作業完了確認手段を更に備えることを特徴とする請求項５に記載のデータエントリーシステム。
　　【請求項７】
　前記サーバコンピュータは，前記複数のエントリー者のそれぞれから情報端末を利用して受信したテキストデータ量に応じてエントリー者のそれぞれのアカウントにポイントを付与し，該ポイント情報を提携したポイント交換事業者のデータサーバに送信すると共に，前記複数のエントリー者のそれぞれに対して，前記複数のエントリー者の要求に応じて前記ポイント情報を通知するポイント情報照会手段を更に有することを特徴とする請求項３に記載のデータエントリーシステム。
　　【請求項８】
　前記情報端末で前記データエントリー入力作業を実行させるアプリケーションプログラムは，前記情報端末からの要請に応じて，前記通信ネットワークに接続されたアプリケーションプログラム配信サーバから提供されることを特徴とする請求項１乃至３のいずれかに記載のデータエントリーシステム。」
（３）本件補正の内容
ア　本件補正は，請求項１について以下のように補正している。
　請求項１に記載した発明を特定するために必要な事項である「暗号化識別データ付与手段」について，「
前記暗号化した識別データが付与された分割イメージデータをそれぞれ対応する
前記通信ネットワークに接続された不特定多数のパーソナルコンピュータ（ＰＣ），タブレットコンピュータ，及びスマートフォンのうちの少なくともいずれかの文字入力が可能な携帯端末であって，前記携帯端末の利用者が前記原本シートのデータ入力を行うエントリー者として前記サーバコンピュータにアクセス可能に登録及び認証される手段と，
て，該サーバコンピュータからエントリー用分割イメージデータファイルを受信する分割イメージデータファイル受信手段と，前記
に含まれる個々の分割イメージ
順次に
画面出力
順次に画面
る個々の
をテキストデータとして入力するための入力手段と，
前記入力手段を用いて入力した
タを対応付け
前記サーバコンピュータから受信した前記エントリー用分割イメージデータファイルに対する全てのエントリー入力が，予め設定された入力制限時間内に完了したか否かを確認するエントリー作業完了確認手段と，
イ　本件補正は，請求項２について以下のように補正している。
　請求項２に記載した発明を特定するために必要な事項である「暗号化識別データ付与手段」について，「
前記暗号化した識別データが付与された分割イメージデータをそれぞれ対応する
前記通信ネットワークに接続された不特定多数のパーソナルコンピュータ（ＰＣ），タブレットコンピュータ，及びスマートフォンのうちの少なくともいずれかの文字入力が可能な携帯端末であって，前記携帯端末の利用者が前記原本シートのデータ入力を行うエントリー者として前記サーバコンピュータにアクセス可能に登録及び認証される手段と，
て，該サーバコンピュータからエントリー用分割イメージデータファイルを受信する分割イメージデータファイル受信手段と，前記
に含まれる個々の分割イメージ
順次に
画面出力
順次に画面
る個々の
をテキストデータとして入力するための入力手段と，前記入力手段を用いて入力した
タを対応付け
前記サーバコンピュータから受信した前記エントリー用分割イメージデータファイルに対する全てのエントリー入力が，予め設定された入力制限時間内に完了したか否かを確認するエントリー作業完了確認手段と，
ウ　本件補正は，請求項３について，以下のように補正している。
　本件補正前の請求項３の内容を請求項１および２に，それぞれ，統合したのに伴い，本件補正前の請求項３を削除し，本件補正前の請求項４を請求項３とし，それに伴って，引用元の請求項を「請求項１乃至３」から「請求項１又は２」と補正するものであって，同法第１７条の２第５項第１号の請求項の削除を目的とするものに該当する。
エ　本件補正は，請求項４について，以下のように補正している。
　本件補正前の請求項３の内容を請求項１および２に，それぞれ，統合したのに伴い，本件補正前の請求項３を削除し，本件補正前の請求項５を請求項４とし，それに伴って，引用元の請求項を「請求項１乃至３」から「請求項１又は２」と補正するものであって，同法第１７条の２第５項第１号の請求項の削除を目的とするものに該当する。
オ　本件補正は，請求項５について，以下のように補正している。
　本件補正前の請求項３および６の内容を請求項１および２に，それぞれ，統合したのに伴い，本件補正前の請求項３をおよび６削除し，本件補正前の請求項７を請求項５とし，それに伴って，引用元の請求項を「請求項３」から「請求項１又は２」と補正するものであって，同法第１７条の２第５項第１号の請求項の削除を目的とするものに該当する。
　また，「ポイント情報」を「
付与した
の
カ　本件補正は，請求項６について，以下のように補正している。
　本件補正前の請求項３および６の内容を請求項１および２に，それぞれ，統合したのに伴い，本件補正前の請求項３をおよび６削除し，本件補正前の請求項８を請求項６とし，それに伴って，引用元の請求項を「請求項１乃至３」から「請求項１又は２」と補正するものであって，同法第１７条の２第５項第１号の請求項の削除を目的とするものに該当する。
　また，本件補正は，新規事項を追加するものではないから同法第１７条の２第３項の要件を満たしているといえる。
　さらに，本件補正は，シフト補正するものではないから同法第１７条の２第４項の要件を満たしているといえる。
　そこで，本件補正後の前記請求項１に記載された発明（以下，「本件補正発明１」という。）および本件補正後の前記請求項２に記載された発明（以下，「本件補正発明２」という。）が特許出願の際独立して特許を受けることができるものであるか（同法第１７条の２第６項において準用する同法第１２６条第７項の規定に適合するか）について以下に検討する。
２．独立特許要件の検討
（１）刊行物の記載事項
ア　引用例１
　原査定の拒絶の理由に引用された特開２０１４−６７２０９号公報（以下，「引用例１」という。）には，図面とともに，以下の事項が記載されている（下線は当審が付した。）。
（ア）
「【技術分野】
【０００１】
　
本発明は，帳票等の所定形式の定型書類に記載された各項目の内容を入力して電子データ化するデータエントリーシステムに関する
【背景技術】
【０００２】
　従来，帳票等の所定形式の定型書類に記載された各項目の内容を入力して電子データ化するデータエントリーシステムとしては，定型書類を管理するクライアントが，電子データ化サービスを提供するサービス提供機関が運営するサーバに，個人情報等の保護情報を含む定型書類のイメージデータを送信（アップロード）すると，サービス提供機関がこれらのイメージを複数のイメージに分割してデータ入力を行うオペレータに送信して，個々のオペレータに入力させて電子データ化することにより，オペレータに個人情報等の保護情報が知得されてしまうことにより，該保護情報が漏洩してしまうことを防止できるようにしたものがある（例えば，特許文献１参照）。
【先行技術文献】
【特許文献】
【０００３】
【特許文献１】特開２０１１−１０７８６３号公報
【発明の概要】
【発明が解決しようとする課題】
【０００４】
　しかしながら，特許文献１にあっては，オペレータに個人情報等の保護情報が知得されてしまうことによる漏洩は防止できるものの，定型書類のイメージデータは，オペレータに分割して配信するために，サービス提供機関が運営するサーバに送信して記憶する必要があるので，
サービス提供機関に個人情報等の保護情報が知得されてしまうことによる漏洩は防止
【０００５】
　本発明は，このような問題点に着目してなされたもので，
保護情報が漏洩してしまうことを防止することのできるデータエントリーシステムを提供すること
（イ）
「【００１２】
　図１は，本発明のデータエントリーシステムのシステム構成の一実施例を示す図であり，本実施例の
データエントリーシステムは，所定形式の定型書類に記入された記載内容を情報処理に使用可能な電子データ化するデータエントリーサービスを提供するサービス提供機関が運営するセンターサーバ１００と，サービス提供機関にデータエントリーサービスを依頼する各クライアントＡ，Ｂ…の，例えばオフィス等に設置されることで当該クライアントＡ，Ｂ…の社員等が利用可能なコンピュータ端末であるクライアント端末１ａ，１ｂ，…と，サービス提供機関に入力作業（エントリー）を行う会員として事前に登録したエントリー会員が操作可能なインターネット端末であるエントリー会員端末２ａ，２ｂ…と，から主に構成されている
【００１３】
　尚，センターサーバ１００は，必ずしも，サービス提供機関に設置されている必要はなく，多数のサーバ等を管理するデータセンタ等に設置されたものであっても良く，たとえば，近年において利用が急増しているクラウドサービスを提供するデータサービス会社に設置されたクラウドサーバコンピュータ等であっても良い。
【００１４】
　センターサーバ１００は，サービス提供機関に設置されているコンピュータ端末である運営機関端末１０１に，たとえば，秘匿性の高い専用回線やバーチャルプライベートネットワーク（ＶＰＮ）回線等を介して接続されており，該運営機関端末１０１から後述する分割テンプレートの登録や更新が可能とされているとともに，各クライアントからの分割画像の登録状況や各クライアントへの電子データの配信状況等のセンターサーバ１００の状況把握を逐次実施できるようになっている。
【００１５】
　また，
センターサーバ１００は，
クライアント端末１ａ，１ｂ，…と，エントリー会員端末２ａ，２ｂ…と，オープンコンピュータネットワークであるインターネット網を介して接続されており，該インターネット網を介して各種のデータの送受信が可能
【００１６】
　
クライアント端末１ａ，１ｂ，…には，
個々のクライアントにて使用している申込書等の帳票をイメージデータとしてクライアント端末１ａ，１ｂ，…に入力するためのイメージデータ入力手段であるスキャナー１１ａ，１１ｂ，…が接続されている
【００１７】
　また，
エントリー会員端末２ａ，２ｂ…は，インターネット網を利用する不特定多数のインターネット利用者が使用しているインターネット端末であって，文字や数字等の入力を行うことのできるキーボート等の入力装置や，モニタ等の表示装置を備え，センターサーバ１００から配信される各種ページを閲覧するための公知のブラウザプログラムがインストールされているコンピュータ端末であれ
（ウ）
「【００２３】
　本実施例において，
各分割画像に固有に付与される分割画像ＩＤとしては，分割元の帳票イメージが入力された年月日にその当日にスキャンされた帳票イメージのシリアル番号を加えた分割元の帳票イメージを特定可能に付与される定型書類特定情報となる帳票イメージＩＤ（ハイフンの前部分）に，分割テンプレートの各分割領域の項目を特定可能に付与される項目特定情報となる項目番号（ハイフンの後部分）とから構成されており，該分割画像ＩＤから，各分割画像の分割元の帳票イメージと，該分割元の帳票イメージにおいて該当する項目と，が特定できるようになっている
【００２４】
　また，「種別コード」の項目には，分割画像が該当する入力カテゴリが，後述するように，カタカナ，ひらがな，数字，漢字，選択肢のいずれのカテゴリに該当するのかを示すデータが格納され，該種別データは，分割テンプレートの各分割領域に対して予め設定されている種別データが格納される。
【００２５】
　「送信画像ＩＤ」の項目には，各分割画像に対してランダムに付与することで，各分割画像が送信される順序をシャッフルするとともに，該データから分割元の帳票イメージが同一であること等を，クライアント以外の他者（他社）に知得されないようにするために付与される送信画像ＩＤのデータが格納され，このように，送信画像ＩＤと分割画像ＩＤとが対応付けて分割画像管理データベース（ＤＢ）に記憶されることで，送信画像ＩＤから分割画像ＩＤを特定して，どの分割画像が同一の帳票イメージから分割されたものであるのかや，同一の帳票イメージのどの項目の分割画像であるのかを特定できるようになっている。」
（エ）
「【００４４】
　次に，このようにして，センターサーバ１００に登録された分割テンプレートを使用して，スキャナー１１ａにてスキャンされた帳票のイメージデータが分割される流れについて，図８を用いて説明する。まず，
クライアント端末１ａにおいてクライアント用のアプリケーションプログラム（以下，クライアントアプリと略記する）を起動し
【００４５】
　該入力されたクライアントＩＤとパスワードは，クライアントアプリによりセンターサーバ１００に送信されて，クライアントデータベース（ＤＢ）に記憶されているデータと照合される。
【００４６】
　センターサーバ１００は，受信したクライアントＩＤとパスワードが，クライアントデータベース（ＤＢ）に記憶されているクライアントＩＤとパスワードと一致するか否かを判定し，該判定結果を返信する。
【００４７】
　クライアントアプリは，返信されてきた判定結果が照合ＯＫであることを条件にログインを許諾し，使用する分割テンプレートの選択を受付ける選択画面を表示して，分割テンプレートの選択を受付ける。尚，該選択画面においては，予め記憶されている全ての分割テンプレートＩＤが選択可能に表示される。返信されてきた判定結果が照合ＮＧであるときには，その後の処理に進むことなく，クライアントＩＤとパスワードの入力を受付ける処理を繰返し実行する。
【００４８】
　尚，帳票には，使用する分割テンプレートＩＤの情報が印刷されていることで，作業者が，該帳票に対して使用する分割テンプレートＩＤを確実に選択できるようにすることが好ましいが，記憶されている分割テンプレートＩＤが１つのみの場合には，該選択画面による選択受付けを省略して，記憶されている１の分割テンプレートを一義的に選択するようにしても良い。
【００４９】
　使用する分割テンプレートの選択を受付けた場合には，受付けた分割テンプレートの分割テンプレートＩＤをセンターサーバ１００に送信して分割テンプレートのデータを取得する。
【００５０】
　センターサーバ１００は，クライアント端末１ａから分割テンプレートＩＤを受信したことに応じて，該受信した分割テンプレートＩＤに対応して分割テンプレートデータベース（ＤＢ）に記憶されている分割テンプレートのデータファイルを特定して，該特定したデータファイルを読み出して，送信元のクライアント端末１ａに対して返信する。
【００５１】
　分割テンプレートのデータファイルを受信したクライアント端末１ａは，受信した分割テンプレートのデータファイルを一時記憶する。尚，該一時記憶したデータファイルは，クライアントアプリが終了するときに消去される。
【００５２】
　そして，
操作者の画像取り込み操作の受付けに応じて，スキャナー１１ａから帳票画像（イメージ）を取り込む画像取り込み処理を実施した後，該取り込んだ帳票画像を，
分割テンプレートを用いて分割する画像分割処理を実行する
【００５３】
　該画像分割処理においては，帳票画像に表示されている位置合わせ用のガイドマーカー（ＧＭ）に基づいて，各分割領域の範囲を特定し，該特定した範囲の画像に帳票画像を分割する（図５参照）。
【００５４】
　そして，
各分割画像に，
分割元の帳票画像（イメージ）を特定するための帳票イメージＩＤと項目番号とか成る分割画像ＩＤを付与して，該付与した分割画像ＩＤに対応付けて分割画像管理データベース（クライアント端末側）に，各分割領域に設定されている種別コードとともに記憶する
【００５５】
　そして，再度，帳票画像を取り込むための画像取り込み操作，または，既に取り込んで分割した分割画像を送信する画像送信操作のいずれかを，作業者から受付ける。
【００５６】
　画像取り込み操作を再度受付けた場合には，上述した画像取り込み操作の受付けに応じた処理を再実行することにより，次の帳票の帳票画像（イメージ）が取り込まれて分割され，分割画像管理データベース（クライアント端末側）に記憶されていく。
【００５７】
　一方，
画像送信操作を受付けた場合には，分割画像管理データベース（クライアント端末側）において，
各分割画像に送信画像ＩＤをランダムに付与し，該付与した送信画像ＩＤを分割画像管理データベース（クライアント端末側）に記憶する
【００５８】
　このように，所定数以上の未送信の分割画像が分割画像管理データベース（クライアント端末側）に記憶されているときに，該記憶されている各分割画像にランダムに送信画像ＩＤを付与することにより，図６（ｂ）に示すように，同一の帳票画像（イメージ）から分割された各分割画像の間には，他の帳票画像（イメージ）から分割された分割画像が割り込んで送信されるようになるので，同一の帳票画像（イメージ）に分割画像がまとまって送信されることにより，これらの分割画像のデータが，送信経路上において不正に取得されても，個人情報が特定されてしまうことを回避できるようになることから好ましいが，本発明はこれに限定されるものではなく，これら所定数以上の十分な分割画像が存在するか否かの判定を実施することなく，分割画像をセンターサーバ１００に送信するようにしても良い。
【００５９】
　尚，本実施例では，画像送信操作を受付けたときに，所定数以上の未送信の分割画像が存在するか否かを判断するようにしているが，本発明はこれに限定されるものではなく，これら所定数以上の未送信の分割画像が存在しない段階では，画像送信操作を受付ける操作部を無効状態（非アクティブ状態）として画像送信操作の受付けを不能とし，所定数以上の未送信の分割画像が存在する段階となったときに，画像送信操作を受付ける操作部を有効状態（アクティブ状態）として画像送信操作の受付けを可能とすることで，無駄な画像送信操作の受付けが実施されないようにしても良い。
【００６０】
　また，本実施例の
送信画像ＩＤの下３桁には，アルファベットの組み合わせが使用されていて，
これら組み合わせがアルファベットの上位（ａａａ，ａａｂ，ａａｃ，ａａｄ…）となる順に再配列されることでシャッフルされて，センターサーバ１００に種別コードと送信画像ＩＤとともに分割画像が送信され
【００６１】
　尚，本実施例では，アルファベットの組み合わせを使用しているが，本発明はこれに限定されるものではなく，これらに，順序を特定可能な数字や記号等を用いても良い。
【００６２】
　このように
シャッフルされて送信された分割画像は，該分割画像とともに送信されてきた送信画像ＩＤと種別コードとに対応付けて，受信順に，分割画像管理データベース（センターサーバ側）に記憶される
【００６３】
　よって，分割画像管理データベース（センターサーバ側）に連続して記憶される分割画像は，異なる帳票画像（イメージ）から分割された画像が含まれるようになるので，これらの画像から個人情報を特定することは非常に困難となるので，個人情報が，センターサーバ１００を運営するサービス提供機関において知得され難くなるとともに，仮に，センターサーバ１００に不正に侵入がなされて分割画像が不正に入手されたとしても，保護情報である個人情報が流出してしまう可能性を低くできるので，個人情報が漏洩してしまうことを防止することが可能となる。」
（オ）
「【００６４】
　次に，上記のようにして，分割画像管理データベース（センターサーバ側）に記憶された分割画像に対応する電子データが入力される流れについて，図１０，図１１に基づいて説明する。
【００６５】
　
入力作業を行うために会員登録したエントリー会員は，入力作業を行うことのできる空き時間等に，センターサーバ１００のサイトにアクセスすることにより配信されるログインページにおいて，会員ＩＤとパスワードを入力してサイトにログインする
【００６６】
　
センターサーバ１００は，ログインページにおいて入力された会員ＩＤとパスワードを，エントリー会員データベース（ＤＢ）に記憶されているデータと照合し，照合結果が照合ＯＫであるときに，当該会員の会員ページを生成して配信する
【００６７】
　この
会員ページには，
エントリ（入力作業）を行う場合において，入力の対象とする入力カテゴリを選択する選択ウインドウ
が設けられ
【００６８】
　エントリー会員は，エントリ（入力作業）を行う専門家ではないので，漢字等の入力が不得手な会員もいれば，漢字等の入力が得意な会員も居るとともに，逆に，数字等の入力が得意であっても，ひらがな等の入力は不得手な会員も居り，各会員の得意な入力対象が異なるので，
エントリー会員は，例えば，自分が得意とする入力カテゴリを選択することができ
【００６９】
　
センターサーバ１００は，選択された入力カテゴリが，例えば「カタカナ」のカテゴリである場合であれば，分割画像管理データベース（センターサーバ側）に記憶されている未配信の送信画像ＩＤの分割画像
のうち，種別コードが「カタカナ」に対応するコード番号
の分割画像を１つ抽出し，該抽出した分割画像を含む，
入力ページを生成して配信する
【００７０】
　尚，該配信を行うときに，当日の日付が「配信日」の項目に格納されるとともに，「入力会員」の項目に，入力ページを配信するエントリー会員の会員ＩＤが格納される。
【００７１】
　図１１に示すように，本実施例の
入力ページには，入力作業領域２０２と，入力カテゴリを変更するときに使用する，会員ページと同一の入力カテゴリを選択可能な選択ウインドウ２０１と，が含まれ
【００７２】
　
入力作業領域２０２には，抽出された分割画像が入力対象画像として上方位置に表示されるともに，該入力対象画像の下方位置には，テキスト入力を行うためのテキスト入力部が設けられており，エントリー会員は，上方位置に表示された分割画像を見ながら，分割画像に含まれているカタカナを，テキストにてテキスト入力部に入力する
【００７３】
　
入力が完了した場合には，入力完了操作（例えば，エンターキーの入力操作）を実行することで，テキスト入力部に入力されたテキストデータ（電子データ）と，分割画像の送信画像ＩＤとがセンターサーバ１００に送信されて，該テキストデータ（電子データ）のデータ名に，送信画像ＩＤによるデータ名が付与されて所定の記憶領域に記憶されるとともに，該データ名が，該分割画像の送信画像ＩＤに対応する電子データ名として分割画像管理データベース（センターサーバ側）に，分割画像の送信画像ＩＤに対応付けて記憶される
【００７４】
　尚，１の入力ページ毎にテキストデータ（電子データ）をセンターサーバ１００に送信するのではなく，所定数（例えば，１０）の入力ページのエントリーが終了した時点で，入力されたテキストデータ（電子データ）をセンターサーバ１００に送信することで，センターサーバ１００の受信負荷を低減できるようにしても良い。
【００７５】
　そして，センターサーバ１００は，再度，分割画像管理データベース（センターサーバ側）に記憶されている未配信の送信画像ＩＤの分割画像のうち，種別コードが「カタカナ」に対応するコード番号（例えば，「０１」）の分割画像を１つ抽出し，該抽出した分割画像を含む，入力ページを新たに生成してエントリー会員に配信することで，該分割画像に含まれるカタカナのテキストデータの入力が受付けられて，分割画像管理データベース（センターサーバ側）に記憶される。
【００７６】
　このように，
入力ページの配信と入力とが繰返し入力されることで，分割画像管理データベース（センターサーバ側）に記憶されている未配信の分割画像が，順次，電子データ化され
（カ）
「【００８３】
　
センターサーバ１００は，該電子データ要求の受信に応じて，受信した電子データ要求に含まれる送信画像ＩＤに対応付けて分割画像管理データベース（センターサーバ側）に記憶されている電子データ名の電子データを読み出して，送信画像ＩＤに対応付けた態様にて，電子データ要求の送信元のクライアント端末１ａに対して返信する
【００８４】
　尚，このとき，電子データを送信した送信画像ＩＤと送信日を，処理完了ＩＤとして記憶しておくことで，分割画像管理データベース（センターサーバ側）においてクライアントに電子データが送信されて処理が完了した分割画像を特定できるようになっている。また，これら送信日から所定期間が経過した送信画像ＩＤの登録データは，分割画像管理データベース（センターサーバ側）から消去される。
【００８５】
　
クライアント端末１ａは，分割画像管理データベース（クライアント端末側）において，受信した送信画像ＩＤに対応する電子データ受信状況データを「受信済み」に更新するとともに，該受信した送信画像ＩＤに対応付けて分割画像管理データベース（クライアント端末側）に記憶されている分割画像ＩＤから，各電子データが対応する分割画像の分割元の帳票画像（イメージ）と，該分割元の帳票画像（イメージ）における該当項目とを特定し，特定した帳票画像（イメージ）毎に，各項目の電子データを統合して，各帳票画像（イメージ）に対応した電子データを生成して記憶する
（キ）
「【００９４】
　また，前記実施例では，分割画像をシャッフルしてセンターサーバ１００に送信する形態を例示しているが，本発明はこれに限定されるものではなく，これら
分割画像をシャッフルすることなくセンターサーバ１００に送信して，センターサーバ１００がエントリー会員に各分割画像をランダムに配信するようにしても良い
（ク）上記（ア）〜（キ）によれば，引用例１には，以下の事項を含む発明（以下，「引用例１発明」が開示されていると認められる。
「所定形式の定型書類に記入された記載内容を情報処理に使用可能な電子データ化するデータエントリーサービスを提供するサービス提供機関が運営するセンターサーバ１００と，サービス提供機関にデータエントリーサービスを依頼する各クライアントＡ，Ｂの社員等が利用可能なコンピュータ端末であるクライアント端末１ａ，１ｂ，…と，サービス提供機関に入力作業（エントリー）を行う会員として事前に登録したエントリー会員が操作可能なインターネット端末であるエントリー会員端末２ａ，２ｂ…と，から構成されているデータエントリーシステムであって，
　センターサーバ１００は，クライアント端末１ａ，１ｂ，…と，エントリー会員端末２ａ，２ｂ…と，オープンコンピュータネットワークであるインターネット網を介して接続されており，該インターネット網を介して各種のデータの送受信が可能であり，
　クライアント端末１ａ，１ｂ，…には，個々のクライアントにて使用している申込書等の帳票をイメージデータとしてクライアント端末１ａ，１ｂ，…に入力するためのイメージデータ入力手段であるスキャナー１１ａ，１１ｂ，…が接続されており，
　エントリー会員端末２ａ，２ｂ…は，インターネット網を利用する不特定多数のインターネット利用者が使用しているインターネット端末であって，文字や数字等の入力を行うことのできるキーボート等の入力装置や，モニタ等の表示装置を備え，センターサーバ１００から配信される各種ページを閲覧するための公知のブラウザプログラムがインストールされているコンピュータ端末であり，
　クライアント端末１ａにおいてクライアント用のアプリケーションプログラム（以下，クライアントアプリと略記する）を起動し，
　操作者の画像取り込み操作の受付けに応じて，スキャナー１１ａから帳票画像（イメージ）を取り込む画像取り込み処理を実施した後，該取り込んだ帳票画像を，分割テンプレートを用いて分割する画像分割処理を実行し，
各分割画像に，分割元の帳票画像（イメージ）を特定するための帳票イメージＩＤと項目番号とから成る分割画像ＩＤを付与して，該付与した分割画像ＩＤに対応付けて分割画像管理データベース（クライアント端末側）に，各分割領域に設定されている種別コードとともに記憶し，ここで，各分割画像に固有に付与される分割画像ＩＤとしては，分割元の帳票イメージが入力された年月日にその当日にスキャンされた帳票イメージのシリアル番号を加えた分割元の帳票イメージを特定可能に付与される定型書類特定情報となる帳票イメージＩＤ（ハイフンの前部分）に，分割テンプレートの各分割領域の項目を特定可能に付与される項目特定情報となる項目番号（ハイフンの後部分）とから構成されており，該分割画像ＩＤから，各分割画像の分割元の帳票イメージと，該分割元の帳票イメージにおいて該当する項目と，が特定できるようになっており，
画像送信操作を受付けた場合には，分割画像管理データベース（クライアント端末側）において，各分割画像に送信画像ＩＤをランダムに付与し，該付与した送信画像ＩＤを分割画像管理データベース（クライアント端末側）に記憶し，
送信画像ＩＤの下３桁には，アルファベットの組み合わせが使用されていて，これら組み合わせがアルファベットの上位（ａａａ，ａａｂ，ａａｃ，ａａｄ…）となる順に再配列されることでシャッフルされて，センターサーバ１００に種別コードと送信画像ＩＤとともに分割画像が送信され，
シャッフルされて送信された分割画像は，該分割画像とともに送信されてきた送信画像ＩＤと種別コードとに対応付けて，受信順に，分割画像管理データベース（センターサーバ側）に記憶され，
入力作業を行うために会員登録したエントリー会員は，入力作業を行うことのできる空き時間等に，センターサーバ１００のサイトにアクセスすることにより配信されるログインページにおいて，会員ＩＤとパスワードを入力してサイトにログインし，
センターサーバ１００は，ログインページにおいて入力された会員ＩＤとパスワードを，エントリー会員データベース（ＤＢ）に記憶されているデータと照合し，照合結果が照合ＯＫであるときに，当該会員の会員ページを生成して配信し，
会員ページには，エントリ（入力作業）を行う場合において，入力の対象とする入力カテゴリを選択する選択ウインドウが設けられており，
エントリー会員は，例えば，自分が得意とする入力カテゴリを選択することができ，
センターサーバ１００は，選択された入力カテゴリが，例えば「カタカナ」のカテゴリである場合であれば，分割画像管理データベース（センターサーバ側）に記憶されている未配信の送信画像ＩＤの分割画像のうち，種別コードが「カタカナ」に対応するコード番号の分割画像を１つ抽出し，該抽出した分割画像を含む，入力ページを生成して配信し，
入力ページには，入力作業領域２０２と，入力カテゴリを変更するときに使用する，会員ページと同一の入力カテゴリを選択可能な選択ウインドウ２０１と，が含まれ，
入力作業領域２０２には，抽出された分割画像が入力対象画像として上方位置に表示されるともに，該入力対象画像の下方位置には，テキスト入力を行うためのテキスト入力部が設けられており，エントリー会員は，上方位置に表示された分割画像を見ながら，分割画像に含まれているカタカナを，テキストにてテキスト入力部に入力し，
入力が完了した場合には，入力完了操作（例えば，エンターキーの入力操作）を実行することで，テキスト入力部に入力されたテキストデータ（電子データ）と，分割画像の送信画像ＩＤとがセンターサーバ１００に送信されて，該テキストデータ（電子データ）のデータ名に，送信画像ＩＤによるデータ名が付与されて所定の記憶領域に記憶されるとともに，該データ名が，該分割画像の送信画像ＩＤに対応する電子データ名として分割画像管理データベース（センターサーバ側）に，分割画像の送信画像ＩＤに対応付けて記憶され，
入力ページの配信と入力とが繰返し入力されることで，分割画像管理データベース（センターサーバ側）に記憶されている未配信の分割画像が，順次，電子データ化され，
センターサーバ１００は，該電子データ要求の受信に応じて，受信した電子データ要求に含まれる送信画像ＩＤに対応付けて分割画像管理データベース（センターサーバ側）に記憶されている電子データ名の電子データを読み出して，送信画像ＩＤに対応付けた態様にて，電子データ要求の送信元のクライアント端末１ａに対して返信し，
クライアント端末１ａは，分割画像管理データベース（クライアント端末側）において，受信した送信画像ＩＤに対応する電子データ受信状況データを「受信済み」に更新するとともに，該受信した送信画像ＩＤに対応付けて分割画像管理データベース（クライアント端末側）に記憶されている分割画像ＩＤから，各電子データが対応する分割画像の分割元の帳票画像（イメージ）と，該分割元の帳票画像（イメージ）における該当項目とを特定し，特定した帳票画像（イメージ）毎に，各項目の電子データを統合して，各帳票画像（イメージ）に対応した電子データを生成して記憶する
データエントリーシステム。」
イ　引用例２
　原査定の拒絶の理由に引用された特開２０１１−１０７８６３号公報（以下，「引用例２」という。）には，図面とともに，以下の事項が記載されている（下線は当審が付した。）。
（ア）
「【技術分野】
【０００１】
　本発明は，データエントリーシステムに関し，より具体的には，帳票に記載された項目をデータとして入力するためのシステムに関する。
【背景技術】
【０００２】
　従来，各種の帳票に記入された記載事項をデータ入力する作業では，データエントリーを行う者，すなわちオペレータが，入力するべき帳票のイメージを見ながらその帳票に記載された事項をデータ入力することにより行われている。この帳票には，たとえば，住所，氏名，郵便番号，電話番号，口座番号，銀行名，支店名，受取人，金額等の事項が記載されている。また，帳票の記載項目は千差万別であり，記載事項の項目の種類や数などに相当の違いがある。
【０００３】
　データエントリーを行うエントリー担当者は，すべての記載事項を正確に入力しなければならず，高度に熟練された理解力とタイピング技術が必要とされ，入力時のミスが生じてしまうと大きな問題を引き起こしてしまうことになる。このため，入力ミスを発見して納品前に修正するため，エントリー工程の後にベリファイ工程を設け，ベリファイ担当者がエントリー担当者の入力ミスを修正することが広く行われている。
【０００４】
　また，近年，情報通信技術の飛躍的な進展等を背景としたインターネットやデジタル文書化の急速な普及等によって，実物の原票を持ち出さず，エントリー担当者およびベリファイ担当者がコンピュータを用いてイメージを見ながらデータエントリー及びベリファイを行うシステムが提案されている。特許文献１に開示されたデータエントリーシステムでは，帳票をイメージデータとして，そのイメージデータを項目ごとに分割し，分割したイメージデータを自宅にいるエントリー担当者に送信して，担当者が自宅で入力を行う。
【特許文献１】特開２００６−２４４３１５号公報
【発明の概要】
【発明が解決しようとする課題】
【０００５】
　しかし，従来のデータエントリーシステムでは，以下のような問題があった。
　帳票のイメージを項目ごとに分割することによっても，個人情報の保護は十分ではないという第１の問題があった。すなわち分割された帳票イメージが在宅のエントリー担当者のもとに送信されることにより，個人情報が漏洩する可能性が飛躍的に増大する。また，帳票のイメージが分割されているからといっても，分割したイメージを合成すれば容易に個人情報の復元が可能である。さらに，現代のデジタル技術の進展によって，データ化された個人情報は瞬時に盗まれる可能性がある。
【０００６】
　また，従来のデータエントリーシステムでは，オペレータが任意の業務を選択することができるため，業務の進捗が予測できず，納期に間に合わない事態が生じるという第２の問題があった。すなわち，各オペレータが個人のスケジュールに従い業務を選択するのでは，あるデータエントリー業務が納品期限に間に合うか否かが，不確実であった。また，すべてのデータエントリー業務を納品期限に間に合わせようと調整するのは，管理者が所属するデータセンターの独自の方法（例えば，人海戦術）によって行っていたため，管理者の業務が煩雑になり，結果として調整もうまく行われておらず，場合によっては納期に間に合わないこともあり得た。
【０００７】
　さらに，従来のデータエントリーシステムでは，オペレータのスキルの管理がシステムとして行われていないため，オペレータのスキルが向上しないという第３の問題があった。
【０００８】
　そこで，本発明は，個人情報を厳格に保護し，データエントリーの業務の割当てを最適化し，且つオペレータのスキルを向上させることができるデータエントリーシステムを提供することを目的とする。」
（イ）
「【００３０】
＜全体構成＞
　図１は，本発明の実施形態であるデータエントリーシステム１の全体構成を示す図である。
【００３１】
　
データエントリーシステム１は，クライアントコンピュータ１１０と，シンクライアントサーバ１２０と，ファイルサーバ１３０と，データベースサーバ１４０と，ワークフローサーバ１５０とを含んでいる
【００３２】
　クライアントコンピュータ１１０は，例えばパーソナルコンピュータであり，ＯＳ，ＣＰＵ，メモリ，ディスプレイ，マウスやキーボード等の入力装置から構成される。オペレータはクライアントコンピュータ１１０を通じて，データの入力を行う。この
クライアントコンピュータ１１０はネットワーク，例えば，インターネットなどを介して，シンクライアントサーバ１２０に接続され
【００３３】
　
シンクライアントサーバ１２０は，
エントリーシステム１２１を含んでいる
エントリーシステム１２１は，ファイルサーバ１３０から受け取った分割エントリー用イメージをクライアントコンピュータ１１０に表示させ，表示されている分割エントリー用イメージに基づいて，オペレータからのテキストデータの入力を受け付けるシステムである
【００３４】
　
ファイルサーバ１３０は，帳票に関するイメージデータ及びテキストデータとしてのエントリーデータなどを格納している。ファイルサーバ１３０は，帳票のイメージデータ（以下，帳票イメージ）からエントリーすべき記載事項ごとのエントリーイメージを分割して，分割エントリー用イメージを作成する分割手段であるイメージ分割プログラム１３１と，複数いるオペレータごとに配信予定の分割エントリー用イメージを決定する抽出手段であるイメージ配信プログラム１３２と，　最終的に複数のオペレータから返信されたエントリーデータを元の帳票単位のデータに合成する合成手段であるデータ合成プログラム１３３を備え
【００３５】
　帳票イメージ，分割エントリー用イメージ，エントリーデータ及び帳票単位のデータは図示しない記録媒体に格納されている。
分割エントリー用イメージは，イメージ配信プログラム１３２（抽出手段，配信手段）によって適宜抽出されて，シンクライアントサーバ１２０に配信される
イメージ配信プログラム１３２は，複数のオペレータごとに配信予定の分割エントリー用イメージを決定する抽出手段として機能するとともに，複数のオペレータに前記分割エントリー用イメージをジョブとして配信する配信手段として機能する
【００３６】
　データベースサーバ１４０は，帳票に関する情報を管理する業務マスタ１４１と，オペレータに関する情報を管理するオペレータマスタ１４２と，教育用のサンプル等を含んだ教育マスタ１４３を備えたサーバである。業務マスタ１４１は，業務に関する各種情報，分割エントリー用イメージ，エントリーされたデータを格納しているほか，例えば移行状況テーブル１４４，配信情報テーブル１４５などを保持している。オペレータマスタ１４２は，オペレータに関する情報，例えば，オペレータのスキル，スケジュールなどの情報を格納している。
【００３７】
　ワークフローサーバ１５０は，エントリー業務全体を管理するサーバである。このワークフローサーバ１５０は，スケジュール管理システム１５１と，課金情報照会システム１５２と，教育システム１５３と，問合せシステム１５４を備えている。これらのシステムについての詳細は後述する。
【００３８】
　ファイルサーバ１３０，データベースサーバ１４０及びワークフローサーバ１５０は，ローカルエリアネットワークなどによって接続されている。シンクライアントサーバ１２０は，ファイルサーバ１３０及びワークフローサーバ１５０とは，相互に依存度が少ない疎結合によって接続されている。」
（ウ）
「【００４５】
＜全体フロー＞
　図３は，本実施形態における業務の流れを示すフローチャートである。
【００４６】
　ステップＳ１の仕分け工程では，顧客から提供された帳票の仕分けを行う。
【００４７】
　ステップＳ２の
取込み・バッチ工程では，顧客ごと，あるいは種類ごとに一まとまりのバッチとしての帳票の束を選択し，そのバッチごとに納期等の情報を設定する
続いて，帳票のスキャンを行い，帳票イメージとしてのデータに変換する
【００４８】
　
続いて，
ファイルサーバ１３０のイメージ分割プログラム１３１は，帳票イメージを分割し，分割エントリー用イメージを生成する
イメージの分割は，帳票の記載事項ごとに行われ
【００４９】
　ステップＳ３の配信工程では，
ファイルサーバ１３０のイメージ配信プログラム１３２が分割エントリー用イメージのまとまりをジョブごとにエントリーを行うオペレータを決定する
【００５０】
　続いて，
イメージ配信プログラム１３２は，そのジョブとエントリーを行うオペレータの情報をシンクライアントサーバ１２０のエントリーシステム１２１に配信する
エントリーシステム１２１は，配信されたジョブに含まれる分割エントリー用イメージを，決定されているオペレータに対してシンクライアントサーバ１２０から，クライアントコンピュータ１１０のディスプレイに表示させ
エントリーシステム１２１は，表示された分割エントリー用イメージに対するオペレータのデータのエントリーを受け付け
【００５１】
　ステップＳ４の
エントリー・ベリファイ工程では，オペレータがクライアントコンピュータ１１０を通じて，
エントリー担当者が分割エントリー用イメージを見ながら，データのエントリーを行う
エントリーされたデータはベリファイ担当者に回され，エントリー工程と同様にベリファイ入力を行う
【００５２】
　ステップＳ５の
出力工程では，ファイルサーバ１３０のデータ合成プログラム１３３が，分割エントリー用イメージに対してエントリーされたテキストデータを元の帳票単位のデータに合成する
【００５３】
　ステップＳ６の
修正工程では，帳票単位データのチェック及び修正を行う
【００５４】
　ステップＳ７の
納品工程では，完成した帳票単位データのまとまりを，顧客が要求するデータレイアウトに変換し，納品を行う
（エ）
「【００５８】
＜配信工程＞
　配信工程は，オペレータごとに配信予定の分割エントリー用イメージを抽出する抽出と，オペレータに分割エントリー用イメージをジョブとして配信するジョブ配信とに分けられる。
【００５９】
　分割エントリー用イメージの抽出は，予め設定した抽出条件に基づいて行われる。設定可能な抽出条件は，本番／教育，精度レベル（新人，初級，中級，上級，初・中級，中・上級，初・中・上級），速度レベル（新人，初級，中級，上級，初・中級，中・上級，初・中・上級），ステータス（エントリー待ち，ベリファイ待ち，予約，配信中，済み），納期，登録日，ベリファイの要／否，ベリファイ移行率，ランダム抽出の要／否，継続／新規などである。」
（オ）
「【００７３】
＜自動割当て処理＞
　
オペレータのデータエントリーが開始されると，イメージ配信プログラム１３２は，自動割当てルーチンを起動する。この自動割当てルーチンは，オペレータがデータエントリーを継続できなくなった場合に，そのバッチを他のオペレータに自動的に割り当てる処理である
【００７４】
　図６は，自動割当てルーチンの詳細を示すフローチャートである。ステップＳ６０１において，分割エントリー用イメージの配信が開始される。同時に，図示しないタイマーがカウントを開始する。
【００７５】
　ステップＳ６０２において，
入力制限時間内にオペレータからエントリーデータの返信があったか否かが判断され
【００７６】
　
入力制限時間内に返信がなかった場合は，
以降の分割エントリー用イメージを他のオペレータに割当て，配信を行う
【００７７】
　このように自動割当て処理を行うことによって，例えばオペレータが席を離れた場合など，データエントリーを継続できない場合が生じたとしても，他のオペレータにそのバッチが割り当てられ，データエントリーが継続されるため，納期が短縮され，生産性が向上する。また，バッチの処理が終了する時刻が予想できるため，短納期の業務にも対応することが可能になる。
【００７８】
　入力制限時間内に返信がない場合に，そのバッチが割り当てられる他のオペレータは，ステップＳ５０４において，所定の抽出条件（例えば，精度レベル，速度レベル）にしたがって決定されるので，同一のレベルのオペレータのもとでデータエントリーが継続されることになる。したがって，エントリーデータの品質も維持することが可能になる。」
（カ）
「【００９０】
＜スケジュール管理システム＞
　図８は，本実施形態におけるスケジュール管理システムの概略を示す概念図である。
【００９１】
　図８において，オペレータがログインした日付が毎月の月末に該当している場合は，エントリーシステム１２１は，「スケジュール管理画面」をクライアントコンピュータ１１０のディスプレイに表示させる。スケジュール管理画面は，図８（ａ）に示すように，一例として，カレンダー形式で表示され，各オペレータはそれぞれの日付に対して作業を遂行可能である予定時間を入力する。例えば，図８（ａ）に示すように，オペレータＡは，ＸＸ月３日において，５時間の作業が可能であると入力し，オペレータＢは同日に３時間の作業が可能であると入力する。入力された作業予定時間は，データベースサーバ１４０のオペレータマスタ１４２に登録される。
【００９２】
　一方，新規な業務を受任すると，その業務の期限と量がデータベースサーバ１４０の業務マスタ１４１に登録される。そして，図８（ｂ）に示すように，各日付における業務量リストが作成される。例えば，ＸＸ月ＸＸ日には，帳票１０００枚のデータエントリーが必要な業務Ａ，帳票５００枚のデータエントリーが必要な業務Ｂ，そして帳票２０００枚のデータエントリーが必要な業務Ｃが予定されることになる。
【００９３】
　ワークフローサーバ１５０のスケジュール管理システム１５１が，入力された作業予定時間と，予定されている業務とその量に基づいて，自動的にオペレータに割り当てるようにしてもよい。例えば，作業可能時間が多いオペレータＡに対しては，量が多い業務Ｃを割り当てる。あるいは，作業可能時間が少ないオペレータＢに対しては，業務Ａと業務Ｂを割り当てる。
　この自動割り当ては，上述した分割エントリー用イメージの抽出と同様に，予め設定した条件に基づいて行われる。可能な抽出条件は，イメージの抽出と同様に，本番／教育，精度レベル（新人，初級，中級，上級，初・中級，中・上級，初・中・上級），速度レベル（新人，初級，中級，上級，初・中級，中・上級，初・中・上級），ステータス（エントリー待ち，ベリファイ待ち，予約，配信中，済み），納期，登録日，ベリファイの要／否，ベリファイ移行率，ランダム抽出の要／否，継続／新規などである。」
（キ）上記（ア）〜（カ）によれば，引用例２には，以下の事項を含む技術（以下，「引用例２記載技術」という。）が開示されていると認められる。
「データエントリーシステム１は，クライアントコンピュータ１１０と，シンクライアントサーバ１２０と，ファイルサーバ１３０と，データベースサーバ１４０と，ワークフローサーバ１５０とを含んでおり，
クライアントコンピュータ１１０はネットワーク，例えば，インターネットなどを介して，シンクライアントサーバ１２０に接続され，
シンクライアントサーバ１２０は，エントリーシステム１２１を含んでおり，エントリーシステム１２１は，ファイルサーバ１３０から受け取った分割エントリー用イメージをクライアントコンピュータ１１０に表示させ，表示されている分割エントリー用イメージに基づいて，オペレータからのテキストデータの入力を受け付けるシステムであり，
ファイルサーバ１３０は，帳票に関するイメージデータ及びテキストデータとしてのエントリーデータなどを格納しており，
ファイルサーバ１３０は，帳票のイメージデータ（以下，帳票イメージ）からエントリーすべき記載事項ごとのエントリーイメージを分割して，分割エントリー用イメージを作成する分割手段であるイメージ分割プログラム１３１と，複数いるオペレータごとに配信予定の分割エントリー用イメージを決定する抽出手段であるイメージ配信プログラム１３２と，最終的に複数のオペレータから返信されたエントリーデータを元の帳票単位のデータに合成する合成手段であるデータ合成プログラム１３３を備えており，
分割エントリー用イメージは，イメージ配信プログラム１３２（抽出手段，配信手段）によって適宜抽出されて，シンクライアントサーバ１２０に配信され，
イメージ配信プログラム１３２は，複数のオペレータごとに配信予定の分割エントリー用イメージを決定する抽出手段として機能するとともに，複数のオペレータに前記分割エントリー用イメージをジョブとして配信する配信手段として機能しており，
取込み・バッチ工程では，顧客ごと，あるいは種類ごとに一まとまりのバッチとしての帳票の束を選択し，そのバッチごとに納期等の情報を設定し，
続いて，帳票のスキャンを行い，帳票イメージとしてのデータに変換し，
続いて，ファイルサーバ１３０のイメージ分割プログラム１３１は，帳票イメージを分割し，分割エントリー用イメージを生成し，イメージの分割は，帳票の記載事項ごとに行われ，
ファイルサーバ１３０のイメージ配信プログラム１３２が分割エントリー用イメージのまとまりをジョブごとにエントリーを行うオペレータを決定し，
イメージ配信プログラム１３２は，そのジョブとエントリーを行うオペレータの情報をシンクライアントサーバ１２０のエントリーシステム１２１に配信し，
エントリーシステム１２１は，配信されたジョブに含まれる分割エントリー用イメージを，決定されているオペレータに対してシンクライアントサーバ１２０から，クライアントコンピュータ１１０のディスプレイに表示させ，
エントリーシステム１２１は，表示された分割エントリー用イメージに対するオペレータのデータのエントリーを受け付け，
エントリー・ベリファイ工程では，オペレータがクライアントコンピュータ１１０を通じて，エントリー担当者が分割エントリー用イメージを見ながら，データのエントリーを行い，エントリーされたデータはベリファイ担当者に回され，エントリー工程と同様にベリファイ入力を行い，
出力工程では，ファイルサーバ１３０のデータ合成プログラム１３３が，分割エントリー用イメージに対してエントリーされたテキストデータを元の帳票単位のデータに合成し，
修正工程では，帳票単位データのチェック及び修正を行い，
納品工程では，完成した帳票単位データのまとまりを，顧客が要求するデータレイアウトに変換し，納品を行うデータエントリーシステムであって，
オペレータのデータエントリーが開始されると，イメージ配信プログラム１３２は，自動割当てルーチンを起動し，この自動割当てルーチンは，オペレータがデータエントリーを継続できなくなった場合に，そのバッチを他のオペレータに自動的に割り当てる処理であって，入力制限時間内にオペレータからエントリーデータの返信があったか否かが判断され，入力制限時間内に返信がなかった場合は，以降の分割エントリー用イメージを他のオペレータに割当て，配信を行う
データエントリーシステム。」
ウ　引用例３
　原査定の拒絶の理由に引用された特開２００６−２３６００３号公報（以下，「引用例３」という。）には，図面とともに，以下の事項が記載されている（下線は当審が付した。）。
（ア）
「【技術分野】
【０００１】
　本発明は，インターネットを介したＷＥＢ配信を用いたデータ入力システムに適用して有効な技術に関する。
【背景技術】
【０００２】
　インターネット技術の急速な普及によって一般家庭のパーソナルコンピュータ等の情報端末（ネットワーク端末）がＦＴＴＨ(Fiber To The Home)やＡＤＳＬ(Asymmetric Digital Subscriber Line)を通じて汎用ネットワークシステム（インターネット）に接続可能になってくると，在宅ビジネスも普及していくことが予想される。
【０００３】
　ネットワーク端末を用いた在宅ビジネスとしては，データエントリシステムが提案されている。
　これは，帳票等の手書き入力イメージ情報をイメージ情報としてＷＥＢサーバに登録し，在宅オペレータがネットワークを介して前記イメージ情報と入力インターフェース画面をダウンロード表示してイメージ情報を参照しながらネットワーク端末のキーボードからＣＧＩ機能を用いてサーバへの入力作業を行わせるものである。
【０００４】
　この点について，ＯＣＲを用いて手書き入力データを文字化するシステムもよく知られているが，企業で用いる帳票の場合，文字認識精度が１００％でなければ実用的でない。そのため，オペレータが手書き帳票を目視してキーボードから文字入力を行う方式が主流となっている。
【０００５】
　なお，本願発明に係る先行技術文献としては，以下の文献に開示されたものがある。
　特許文献１は，ネットワークを介して言語データの校閲を行うシステムであるが，文章中の表現の揺れ（たとえば，「振り替え」と「振替」などの表現の違い）を校閲するものであって，入力者に対して校閲者が１対１の関係でネットワーク回線を使用して校閲を行うものに過ぎなかった。
　また，特許文献２は，サーバに蓄積されたデータをネットワークを介してどのように利用するかについて述べているに過ぎなかった。
【特許文献１】特開２００４−２５２９２２号公報
【特許文献２】特開２００３−２０８３４１号公報
【発明の開示】
【発明が解決しようとする課題】
【０００６】
　ところで，前記データエントリシステムでは，以下のような課題が提起されている。
　第１に，データの秘密性が確保できない問題があった。すなわち，手書き入力イメージ情報をネットワーク端末にダウンロードすることによって，企業の顧客情報や個人情報が漏洩するおそれがあった。
【０００７】
　第２に，オペレータが入力したデータの正当性を確認するシステムが確立されていない点が指摘されていた。すなわち，オペレータが入力したデータに誤りがあった場合，データエントリシステムサーバ上で当該データの誤りを発見したり修正するのは専ら検査者の目視に依存せざるを得ないため，システムとしてこれを修正する運用の確立が期待されていた。
【０００８】
　本発明は，情報の秘匿性を維持しながらネットワーク端末によるデータ入力を可能にするとともに，入力されたデータの正誤判定および修正を効率的に支援するネットワークを用いたデータエントリ方法を確立することを技術的課題とする。」
（イ）
「【００１９】
　図１は，本実施形態の
データエントリシステムによる処理フロー
【００２０】
　本実施形態
では，原票管理処理と，データエントリ処理と，クロスチェックデータ修正処理とからなる
　原票管理処理では，原票のスキャニング処理から，帳票パターンの自動認識および振り分け，項目イメージの座標切り出し，データ公開までの一連の業務処理および進捗の管理を行う。また，実際の原票枚数やデータエントリの進捗枚数，エラー数，完了数，納品データのダウンロード機能を備えている。
【００２１】
　この
原票管理処理は，
原帳票のイメージ化（スキャン処理１０１），帳票パターン振り分け１０２，項目イメージ切り出し１０３，データ公開１０４の各ステップで構成されている
【００２２】
　すなわち，原帳票をスキャン用端末で光学的に走査することによりイメージ画像ファイルを生成する（１０１）。このスキャン用端末には原票イメージデータベースを有しており，スキャンされた原帳票をＪＰＥＧ，ＴＩＦＦ，ＧＩＦ，ＢＭＰ等のイメージデータで蓄積する。
【００２３】
　次に，帳票パターン振分サーバで帳票パターン毎に振り分けることにより（１０２），帳票別イメージ画像ファイルを生成する。この帳票別イメージ画像ファイルは，帳票パターン別イメージデータベースに蓄積される。
【００２４】
　この帳票別イメージ画像ファイルは項目イメージ切出サーバでによって読み出されて，項目毎の項目別パーツイメージデータの切り出しを行う（１０３）。このようにして
切り出されたイメージデータは，項目別パーツイメージデータベースに蓄積され
【００２５】
　そしてこの
項目別パーツイメージデータは，データエントリ用ＷＥＢサーバ兼クロスチェック処理サーバの中央処理装置によって読み出されて，ＨＴＭＬフォーマット(Hyper Text Markup Language Format)に当てはめられて，ＷＥＢエントリデータとして公開される
【００２６】
　
このＷＥＢエントリデータでは，項目別パーツイメージデータと，それに対応する入力ボックスが画面上に一対の状態で表示されるようになっている
　この状態でオペレータ端末は汎用ネットワーク（インターネット）を介してアクセス可能な状態となる（１０４）。
【００２７】
　そして，オペレータ端末ではオペレータがキーボードを用いて当該項目別パーツイメージに対応した文字を入力可能となっている。このようにして入力された文字データは，データエントリ用ＷＥＢサーバ兼クロスチェック処理サーバのＣＧＩ機能を経てエントリ完成データベースに蓄積される。
【００２８】
　
データエントリ処理は，あらかじめ登録されている在宅やSOHO(Small Office Home Office)の入力者（パンチャー）がオペレータ端末からインターネットを介してログインし，ダウンロードされた項目イメージを見ながらデータを入力する処理である
データ入力（データエントリ）は，一般のオペレータ端末にインストールされたインターネットエクスプローラ（マイクロソフト社の商標）やネットスケープ（ネットスケープ社の商標）等のＷＥＢブラウザプログラムを介して行うことができる
【００２９】
　なお，このときに，個人情報に関わる重要な項目については，あらかじめ指定した信頼できる入力者にのみ割り当てることもできる。
【００３０】
　このデータエントリ処理では，具体的には，データエントリ処理１０５，最適化割当処理１０８を順次実行することによって行われる。
【００３１】
　
クロスチェックデータ修正処理では，同一データを複数の入力者に割り当てて入力処理を行わせて，相互に入力されたデータを比較し，正解データを出力するようになっている
正解データを検出するまで，最大で３名の入力者からの入力を受け付けて，それでも正解が特定できない場合には，データエントリ用ＷＥＢサーバ兼クロスチェック処理サーバに接続された管理者端末
による修正処理を行う
【００３２】
　以上のようにして，完成データを得る（１０７）。」
（ウ）
「【００３６】
　図３は，クロスチェック処理の詳細を示すフロー図である。
　クロスチェック処理において，データエントリ用ＷＥＢサーバ兼クロスチェック処理サーバは，同一項目を最低2名の入力者（オペレータ端末）に表示してそれぞれ入力させる。そのデータをデータエントリ用ＷＥＢサーバ兼クロスチェック処理サーバのクロスチェックプログラムによって相互チェックを行い，相互に同一の場合は正解データとして完成データ化する。
【００３７】
　また，入力データが正しくない場合には，別の入力者に入力作業を差し戻し，最大3名による入力値を相互比較し，正解データを求める。
【００３８】
　最大3名の入力値が相互に異なる場合には，あらかじめ指定した項目修正者によって，最終判断および最終データ入力を行う。なお，個人情報保護の観点から，項目修正者には，該当する項目しか表示しないようにしている。
【００３９】
　項目修正者によっても最終的な正解データの判断が難しい場合，項目修正者は，全画面修正者に最終データ入力を依頼することができる。依頼はシステム的に登録することができる。
【００４０】
　クロスチェック処理は，３分に一回，自動的に起動し，クロスチェック対象となるデータを自動抽出して，ステータスに応じた比較処理を行う。
【００４１】
　上のフローによって，最も少ない工数で精度の高い正解データを得ることが可能となり，また同時に原票データに記載された個人情報を含めたセキュリティの確保を担保することができる。
【００４２】
　入力データは図４に示す入力ステータステーブルによって管理されている。同図は，各ステータステーブル項目の定義を示している。
【００４３】
　同図に示すように，入力ステータステーブルは，切り出されたパーツデータ毎に１つのレコードとして，データの入力者や入力値，クロスチェックステータスを管理するテーブルである。各パーツ毎の入力データは，最終的には原票連番ＩＤによって関連付けられて，最終的な納品データとなる。
【００４４】
　図５は，クロスチェック処理の一例であり，最初の２人のオペレータの入力値が一致した場合のフロー図と入力ステータステーブルの値の変化を示す図である。
【００４５】
　図６は，同じくクロスチェック処理の一例であり，最初の２人のオペレータの入力値が不一致で，３人目のオペレータ入力が実行された場合のフロー図と入力ステータステーブルの値の変化を示す図である。
【００４６】
　データエントリ用ＷＥＢサーバ兼クロスチェック処理サーバは，当該サーバにアクセスしているオペレータ端末のオペレータＩＤを検索し，少なくとも２名以上のオペレータからの入力希望を受け付ける。
【００４７】
　そして２名のオペレータの入力値が一致した場合は，図５に示すように，正解フラグの１と２にそれぞれフラグ”１”を立てる。データエントリ用ＷＥＢサーバ兼クロスチェック処理サーバの中央処理装置は，プログラムにしたがって正解フラグの１〜３をチェックし，その中でフラグ”１”が２個以上立っている場合にはステータスを「完了」にし，完成データテーブルを生成する。この完成データテーブルには，データＩＤ，原票連番ＩＤ，パーツエリアＩＤおよびデータが登録される。
【００４８】
　一方，２名のオペレータの入力値が不一致である場合には，図６に示すように，いずれの正解フラグにも値を立てない。ここでは，第１入力者（ＩＤ＝５１）は「ブローバルセンス」と入力し，第２入力者（ＩＤ＝７８１）は「グローバルセンス」と入力しているため不一致となっている。
【００４９】
　この場合にはデータエントリ用ＷＥＢサーバ兼クロスチェック処理サーバの中央処理装置は，プログラムにしたがって第３の入力オペレータをアサインする。具体的には，当該イメージ画像データ（項目イメージ）を再度データエントリ用ＷＥＢサーバ兼クロスチェック処理サーバにアップロードし，入力希望のオペレータを募り，入力作業を行わせる。
【００５０】
　この結果，第３入力者（ＩＤ＝７８１）の入力値が第２入力者（ＩＤ＝７８１）と一致した場合には，中央処理装置は，第２入力者と第３入力者の正解フラグを”１”とし，第１入力者の入力は誤りであると判定して第１入力者の正解フラグを”０”とする。
　そして第２入力者と第３入力者の入力値を完成データとして完成データテーブルを生成する。」
（エ）上記（ア）〜（ウ）によれば，引用例３には，以下の事項を含む技術（以下，「引用例３記載技術」という。）が開示されていると認められる。
「データエントリシステムによる処理フローは，原票管理処理と，データエントリ処理と，クロスチェックデータ修正処理とからなり，
　原票管理処理は，原帳票のイメージ化（スキャン処理１０１），帳票パターン振り分け１０２，項目イメージ切り出し１０３，データ公開１０４の各ステップで構成されており，
切り出されたイメージデータは，項目別パーツイメージデータベースに蓄積され，
項目別パーツイメージデータは，データエントリ用ＷＥＢサーバ兼クロスチェック処理サーバの中央処理装置によって読み出されて，ＨＴＭＬフォーマット(Hyper Text Markup Language Format)に当てはめられて，ＷＥＢエントリデータとして公開され，
このＷＥＢエントリデータでは，項目別パーツイメージデータと，それに対応する入力ボックスが画面上に一対の状態で表示されるようになっており，
　データエントリ処理は，あらかじめ登録されている在宅やSOHO(Small Office Home Office)の入力者（パンチャー）がオペレータ端末からインターネットを介してログインし，ダウンロードされた項目イメージを見ながらデータを入力する処理であり，
データ入力（データエントリ）は，一般のオペレータ端末にインストールされたインターネットエクスプローラ（マイクロソフト社の商標）やネットスケープ（ネットスケープ社の商標）等のＷＥＢブラウザプログラムを介して行うことができ，
　クロスチェックデータ修正処理では，同一データを複数の入力者に割り当てて入力処理を行わせて，相互に入力されたデータを比較し，正解データを出力するようになっており，
正解データを検出するまで，最大で３名の入力者からの入力を受け付けて，それでも正解が特定できない場合には，データエントリ用ＷＥＢサーバ兼クロスチェック処理サーバに接続された管理者端末による修正処理を行う
データエントリシステム。」
（２）本件補正発明１との対比・判断
ア　対比
　本件補正発明１と引用例１発明とを対比する。
（ア）本件補正発明１は，データエントリーシステムの技術分野に属し，個人情報を含む帳票類を電子データ化するデータエントリーの過程における情報漏洩を防止し，データ入力を行うエントリー者として広く一般の人でも行えるデータエントリーシステムを提供することを課題としている（段落０００１，０００７）。
　引用例１発明は，データエントリーシステムの技術分野に属し，サービス提供機関に個人情報等の保護情報が知得されてしまうことにより保護情報が漏洩してしまうことを防止することのできるデータエントリーシステムを提供することを課題としている（段落０００４，０００５）。
　したがって，引用例１発明と本件補正発明１とは，データエントリーシステムという共通の技術分野に属し，また，個人情報等の漏洩を防止するという共通の課題を有しているといえる。
（イ）引用例１発明は，「保護情報が漏洩してしまうことを防止することのできるデータエントリーシステム」であって，「クライアント端末１ａ，１ｂ，…には，個々のクライアントにて使用している申込書等の帳票をイメージデータとしてクライアント端末１ａ，１ｂ，…に入力するためのイメージデータ入力手段であるスキャナー１１ａ，１１ｂ，…が接続されて」いる。
　ここで，引用例１発明の「申込書等の帳票」，「イメージデータとして・・・入力するためのイメージデータ入力手段であるスキャナー」，「クライアント端末」は，それぞれ，本件補正発明１の「保護情報が記載された帳票からなる原本シート」，「スキャンニングして・・・イメージデータを生成するスキャンニング手段」，「クライアントコンピュータ」に相当する。
　したがって，引用例１発明と本件補正発明１とは，保護情報が記載された帳票からなる原本シートをスキャンニングして前記原本シートに基づくイメージデータを生成するスキャンニング手段を備えたクライアントコンピュータを備えている点で共通している。
（ウ）引用例１発明は，「データエントリーサービスを提供するサービス提供機関が運営するセンターサーバ」を備え，「センターサーバ１００は，クライアント端末１ａ，１ｂ，…と，エントリー会員端末２ａ，２ｂ…と，オープンコンピュータネットワークであるインターネット網を介して接続されて」いる。
　ここで，引用例１発明の「クライアント端末」，「オープンコンピュータネットワークであるインターネット網」，「センターサーバ」は，それぞれ，本件補正発明１の「クライアントコンピュータ」，「通信ネットワーク」，「サーバコンピュータ」に相当する。
　したがって，引用例１発明と本件補正発明１とは，クライアントコンピュータに通信ネットワークを介して接続されるデータエントリーサービスを提供するサーバコンピュータを備えている点で共通している。
（エ）引用例１発明は，「センターサーバ」と「クライアント端末」と「サービス提供機関に入力作業（エントリー）を行う会員として事前に登録したエントリー会員が操作可能なインターネット端末であるエントリー会員端末２ａ，２ｂ…と，から構成されているデータエントリーシステムであって，」「センターサーバ１００は，クライアント端末１ａ，１ｂ，…と，エントリー会員端末２ａ，２ｂ…と，オープンコンピュータネットワークであるインターネット網を介して接続されており，該インターネット網を介して各種のデータの送受信が可能であり，」「スキャナー１１ａから帳票画像（イメージ）を取り込む画像取り込み処理を実施した後，該取り込んだ帳票画像を，分割テンプレートを用いて分割する画像分割処理を実行し，」「エントリー会員は，上方位置に表示された分割画像を見ながら，分割画像に含まれているカタカナを，テキストにてテキスト入力部に入力し」ている。
　ここで，引用例１発明の「オープンコンピュータネットワークであるインターネット網」，「帳票」，「入力作業（エントリー）」，「センターサーバ」，「データの送受信が可能」，「エントリー会員端末２ａ，２ｂ…」は，それぞれ，本件補正発明１の「通信ネットワーク」，「原本シート」，「データ入力」，「サーバコンピュータ」，「データ通信可能」，「複数の情報端末」に相当する。
　したがって，引用例１発明と本件補正発明１とは，通信ネットワークに接続されて原本シートのデータ入力を行うサーバコンピュータとデータ通信可能な複数の情報端末を備えたデータエントリーシステムである点で共通している。
（オ）引用例１発明では，「クライアント端末１ａにおいてクライアント用のアプリケーションプログラム（以下，クライアントアプリと略記する）を起動し，操作者の画像取り込み操作の受付けに応じて，スキャナー１１ａから帳票画像（イメージ）を取り込む画像取り込み処理を実施した後，該取り込んだ帳票画像を，分割テンプレートを用いて分割する画像分割処理を実行し」，「各分割画像に，分割元の帳票画像（イメージ）を特定するための帳票イメージＩＤと項目番号とか成る分割画像ＩＤを付与して」おり，「該分割画像ＩＤから，各分割画像の分割元の帳票イメージと，該分割元の帳票イメージにおいて該当する項目と，が特定できるようになって」いる。
　ここで，引用例１発明の「クライアント端末」，「帳票」，「スキャナー」，「帳票画像（イメージ）」，「項目」，「分割画像」，「画像分割処理」は，それぞれ，本件補正発明１の「クライアントコンピュータ」「原本シート」，「スキャンニング手段」，「原本イメージデータ」，「データ項目」，「分割イメージデータ」，「イメージデータ分割」に相当する。
　したがって，引用例１発明と本件補正発明１とは，クライアントコンピュータが原本シートをスキャンニング手段によって生成した原本イメージデータを帳票のデータ項目のそれぞれに対応する複数の分割イメージデータに分割するイメージデータ分割手段を備えている点で共通している。
（カ）引用例１発明では，「各分割画像に，分割元の帳票画像（イメージ）を特定するための帳票イメージＩＤと項目番号とか成る分割画像ＩＤを付与して，該付与した分割画像ＩＤに対応付けて分割画像管理データベース（クライアント端末側）に，各分割領域に設定されている種別コードとともに記憶し」，「分割画像管理データベース（クライアント端末側）において，各分割画像に送信画像ＩＤをランダムに付与し，該付与した送信画像ＩＤを分割画像管理データベース（クライアント端末側）に記憶し」ている。
　ここで，引用例１発明の「分割画像」，「分割画像管理データベース（クライアント端末側）」は，それぞれ，本件補正発明１の「分割イメージデータ」，「クライアントコンピュータの記憶部」に相当する。
　したがって，引用例１発明の「分割画像ＩＤ」と，本件補正発明１の「識別データ」は，分割イメージデータがどの帳票のどのデータ項目のものであるかを特定可能な識別データである点で共通し，引用例１発明の「ランダムに付与」された「送信画像ＩＤ」と，本件補正発明１の「暗号化した識別データ」は，分割イメージデータに対して付与され，かつ，どの帳票のどのデータ項目であるかを特定可能なデータとの対応関係が第三者には不明な，分割イメージデータの識別データである点で共通している。
　しかし，本件補正発明１の分割イメージデータの識別データが，暗号化されているのに対し，引用例１発明の分割イメージデータの識別データは暗号化されておらず，別途送信画像ＩＤがランダムに付与されている点で相違している。
　また，本件補正発明１では，識別データが付与された分割イメージデータを保存する際に，データ項目毎に保存しているのに対し，引用例１発明では，データ項目毎に保存していない点でも相違している。
（キ）引用例１発明では，「分割画像管理データベース（クライアント端末側）において，各分割画像に送信画像ＩＤをランダムに付与し，該付与した送信画像ＩＤを分割画像管理データベース（クライアント端末側）に記憶し，送信画像ＩＤの下３桁には，アルファベットの組み合わせが使用されていて，これら組み合わせがアルファベットの上位（ａａａ，ａａｂ，ａａｃ，ａａｄ…）となる順に再配列されることでシャッフルされて，センターサーバ１００に種別コードと送信画像ＩＤとともに分割画像が送信され」ており，「センターサーバ１００は，クライアント端末１ａ，１ｂ，…と（中略）オープンコンピュータネットワークであるインターネット網を介して接続されており，該インターネット網を介して各種のデータの送受信が可能であ」る。
　ここで，引用例１発明の「分割画像」，「センターサーバ」，「インターネット網」は，それぞれ，本件補正発明１の「分割イメージデータ」，「サーバコンピュータ」，「通信ネットワーク」に相当する。
　したがって，引用例１発明と本件補正発明１とは，識別データが付与された複数の分割イメージデータをシャッフルしてサーバコンピュータに通信ネットワークを介して送信する分割イメージデータ送信手段をクライアントコンピュータが備えている点で共通している。
　しかし，本件補正発明１では，複数の分割イメージデータをシャッフルする際に，データ項目毎の複数の分割イメージデータを各データ項目内でシャッフルしているのに対し，引用例１発明では，データ項目毎の複数の分割イメージデータを各データ項目内でシャッフルしていない点で相違している。
（ク）引用例１発明では，「エントリー会員端末２ａ，２ｂ…は，インターネット網を利用する不特定多数のインターネット利用者が使用しているインターネット端末であって，文字や数字等の入力を行うことのできるキーボート等の入力装置や，モニタ等の表示装置を備え，センターサーバ１００から配信される各種ページを閲覧するための公知のブラウザプログラムがインストールされているコンピュータ端末であり，」「エントリー会員は，上方位置に表示された分割画像を見ながら，分割画像に含まれているカタカナを，テキストにてテキスト入力部に入力し，入力が完了した場合には，入力完了操作（例えば，エンターキーの入力操作）を実行することで，テキスト入力部に入力されたテキストデータ（電子データ）と，分割画像の送信画像ＩＤとがセンターサーバ１００に送信されて，該テキストデータ（電子データ）のデータ名に，送信画像ＩＤによるデータ名が付与されて所定の記憶領域に記憶されるとともに，該データ名が，該分割画像の送信画像ＩＤに対応する電子データ名として分割画像管理データベース（センターサーバ側）に，分割画像の送信画像ＩＤに対応付けて記憶され，」「センターサーバ１００は，該電子データ要求の受信に応じて，受信した電子データ要求に含まれる送信画像ＩＤに対応付けて分割画像管理データベース（センターサーバ側）に記憶されている電子データ名の電子データを読み出して，送信画像ＩＤに対応付けた態様にて，電子データ要求の送信元のクライアント端末１ａに対して返信し，」「クライアント端末１ａは，分割画像管理データベース（クライアント端末側）において，受信した送信画像ＩＤに対応する電子データ受信状況データを「受信済み」に更新するとともに，該受信した送信画像ＩＤに対応付けて分割画像管理データベース（クライアント端末側）に記憶されている分割画像ＩＤから，各電子データが対応する分割画像の分割元の帳票画像（イメージ）と，該分割元の帳票画像（イメージ）における該当項目とを特定し，特定した帳票画像（イメージ）毎に，各項目の電子データを統合して，各帳票画像（イメージ）に対応した電子データを生成して記憶」している。
　ここで，引用例１発明の「クライアント端末」，「エントリー会員端末」，「帳票」の「分割画像を見ながら」「入力されたテキストデータ（電子データ）」，「センターサーバ」，「各項目の電子データを統合して，各帳票画像（イメージ）に対応した電子データを生成」は，それぞれ，本件補正発明１の「クライアントコンピュータ」，「情報端末」，「原本シートに対応するエントリー入力データ」，「サーバコンピュータ」，「原本イメージデータに対応するテキストデータとして合成」に相当する。
　したがって，引用例１発明と本件補正発明１とは，情報端末を介して入力された原本シートに対応するエントリー入力データをサーバコンピュータから受信し，該エントリー入力データに対応する識別データを用いて原本イメージデータに対応するテキストデータとして合成する手段をクライアントコンピュータが備えている点で共通している。
　しかし，本件補正発明１では，テキストデータとして合成する際に用いる分割イメージデータのＩＤデータが，暗号化した識別データであって復号して用いるのに対し，引用例１発明では，テキストデータとして合成する際に用いる分割イメージデータのＩＤデータが，暗号化した識別データでなく，復号して用いていない点で相違している。
（ケ）引用例１発明では，「クライアント端末」から「センターサーバ１００に種別コードと送信画像ＩＤとともに分割画像が送信され，シャッフルされて送信された分割画像は，該分割画像とともに送信されてきた送信画像ＩＤと種別コードとに対応付けて，受信順に，分割画像管理データベース（センターサーバ側）に記憶され」る。
　ここで，引用例１発明の「クライアント端末」，「センターサーバ」，「分割画像」，「分割画像管理データベース（センターサーバ側）に記憶」は，それぞれ，本件補正発明１の「クライアントコンピュータ」，「サーバコンピュータ」，「分割イメージデータ」，「記憶部に保存」に相当する。また，引用例１発明の「送信画像ＩＤ」は，本件補正発明１の「暗号化した識別データ」に対応する。
　したがって，引用例１発明と本件補正発明１とは，サーバコンピュータが，クライアントコンピュータから送信された，識別データが付与された複数の分割イメージデータを記憶部に保存する手段を備えている点で共通している。
　しかし，本件補正発明１では，分割イメージデータを記憶部に保存する際に，顧客毎又は書類種別毎にまとめて１つの束（バッチ）としてバッチファイルを構成し，該バッチファイル毎に少なくとも所定の識別情報及び納期に関するバッチ情報を付加しているのに対し，引用例１発明では，バッチファイルを構成しておらず，バッチ情報を付加していない点で相違している。
（コ）引用例１発明では，「エントリー会員端末２ａ，２ｂ…は，インターネット網を利用する不特定多数のインターネット利用者が使用しているインターネット端末であって，文字や数字等の入力を行うことのできるキーボート等の入力装置や，モニタ等の表示装置を備え，センターサーバ１００から配信される各種ページを閲覧するための公知のブラウザプログラムがインストールされているコンピュータ端末であり，」「入力作業を行うために会員登録したエントリー会員は，入力作業を行うことのできる空き時間等に，センターサーバ１００のサイトにアクセス」し，「エントリー会員は，例えば，自分が得意とする入力カテゴリを選択することができ，センターサーバ１００は，選択された入力カテゴリが，例えば「カタカナ」のカテゴリである場合であれば，分割画像管理データベース（センターサーバ側）に記憶されている未配信の送信画像ＩＤの分割画像のうち，種別コードが「カタカナ」に対応するコード番号の分割画像を１つ抽出し，該抽出した分割画像を含む，入力ページを生成して配信し」ている。
　ここで，引用例１発明の「センターサーバ」，「エントリー会員端末２ａ，２ｂ…」は，それぞれ，本件補正発明１の「サーバコンピュータ」，「複数の情報端末」に相当する。
　したがって，引用例１発明と本件補正発明１とは，サーバコンピュータが，複数の情報端末からのアクセスに応答して，複数のエントリー用分割イメージデータの中から前記複数の情報端末のそれぞれに個別のエントリー用分割イメージデータを選択して送信するエントリー用データ送信手段を備えている点で共通している。
　しかし，本件補正発明１では，送信するエントリー用分割イメージデータとして，予め設定した複数の作業単位であるエントリー用分割イメージデータファイルとして送信しているのに対し，引用例１発明では，予め設定した複数の作業単位であるエントリー用分割イメージデータファイルとして送信していない点で相違している。
（サ）引用例１発明では，「エントリー会員端末」の「表示装置」に表示された「入力ページ」内の「テキスト入力部に入力されたテキストデータ（電子データ）と，分割画像の送信画像ＩＤとがセンターサーバ１００に送信されて，該テキストデータ（電子データ）のデータ名に，送信画像ＩＤによるデータ名が付与されて所定の記憶領域に記憶され」ている。
　ここで，引用例１発明の「エントリー会員端末」，「分割画像」，「センターサーバ」，「所定の記憶領域に記憶」は，それぞれ，本件補正発明１の「情報端末」，「エントリー用分割イメージデータ」，「サーバコンピュータ」，「記憶部に保存」に相当する。
　また，引用例１発明の「入力されたテキストデータ（電子データ）」は，本件補正発明１の「エントリー入力データ」に対応する。
　したがって，引用例１発明と本件補正発明１とは，サーバコンピュータが，複数の情報端末から複数のエントリー用分割イメージデータに対するエントリー入力データを受信して，該受信したエントリー入力データを前記分割イメージデータに対応付けて記憶部に保存する手段を備えている点で共通している。
（シ）引用例１発明では，「センターサーバ１００は，該電子データ要求の受信に応じて，受信した電子データ要求に含まれる送信画像ＩＤに対応付けて分割画像管理データベース（センターサーバ側）に記憶されている電子データ名の電子データを読み出して，送信画像ＩＤに対応付けた態様にて，電子データ要求の送信元のクライアント端末１ａに対して返信し」ている。
　ここで，引用例１発明の「センターサーバ」，「電子データ」，「分割画像管理データベース（センターサーバ側）」，「クライアント端末」は，それぞれ，本件補正発明１の「サーバコンピュータ」，「エントリー入力データ」，「記憶部」，「クライアントコンピュータ」に相当する。
　したがって，引用例１発明と本件補正発明１とは，センターサーバが，記憶部に保存したエントリー入力データを，クライアントコンピュータに送信するエントリー入力済データ送信手段を備えている点で共通している。
　しかし，本件補正発明１では，複数のエントリー用分割イメージデータファイルに対するエントリー入力データが全て揃ったことが確認されると，記憶部に保存したバッチファイル毎に対する全てのエントリー入力データを，前記エントリー入力データに対応付けて記憶された前記分割イメージデータと共に送信ているのに対し，引用例１発明では，複数のエントリー用分割イメージデータファイルに対するエントリー入力データが全て揃ったことが確認しておらず，バッチファイル毎に対する全てのエントリー入力データを，前記エントリー入力データに対応付けて記憶された前記分割イメージデータと共に送信していない点で相違している。
（ス）引用例１発明では，「エントリー会員端末２ａ，２ｂ…は，インターネット網を利用する不特定多数のインターネット利用者が使用しているインターネット端末であって，文字や数字等の入力を行うことのできるキーボート等の入力装置や，モニタ等の表示装置を備え，センターサーバ１００から配信される各種ページを閲覧するための公知のブラウザプログラムがインストールされているコンピュータ端末であ」る。
　ここで，引用例１発明の「エントリー会員端末２ａ，２ｂ…」，「インターネット網」，「文字や数字等の入力を行うことのできる」は，それぞれ，本件補正発明１の「複数の情報端末」，「通信ネットワーク」，「文字入力が可能」に相当する。
　したがって，引用例１発明と本件補正発明１とは，通信ネットワークに接続された文字入力が可能なコンピュータ端末である点で共通している。
　しかし，本件補正発明１では，パーソナルコンピュータ（ＰＣ），タブレットコンピュータ，及びスマートフォンのうちの少なくともいずれかの携帯端末であるのに対し，引用例１発明では，コンピュータ端末であるものの携帯可能な端末か否か明らかでない点で相違している。
（セ）引用例１発明では，「入力作業を行うために会員登録したエントリー会員は，入力作業を行うことのできる空き時間等に，センターサーバ１００のサイトにアクセスすることにより配信されるログインページにおいて，会員ＩＤとパスワードを入力してサイトにログインし，センターサーバ１００は，ログインページにおいて入力された会員ＩＤとパスワードを，エントリー会員データベース（ＤＢ）に記憶されているデータと照合し，照合結果が照合ＯＫであるときに，当該会員の会員ページを生成して配信し」ている。
　ここで，引用例１発明の「入力作業を行うために会員登録したエントリー会員」，「センターサーバ」，「会員登録」，「会員ＩＤとパスワードを入力してサイトにログイン」は，それぞれ，本件補正発明１の「携帯端末の利用者」である「原本シートのデータ入力を行うエントリー者」，「サーバコンピュータ」，「登録」，「認証」に相当する。
　したがって，引用例１発明と本件補正発明１とは，コンピュータ端末が，コンピュータ端末の利用者が原本シートのデータ入力を行うエントリー者としてサーバコンピュータにアクセス可能に登録及び認証される手段を備えている点で共通している。
（ソ）引用例１発明では，「センターサーバ１００は，」「エントリー会員端末２ａ，２ｂ…と，オープンコンピュータネットワークであるインターネット網を介して接続されており，該インターネット網を介して各種のデータの送受信が可能であり，」「センターサーバ１００は，」「抽出した分割画像を含む，入力ページを生成して配信し」ている。
　ここで，引用例１発明の「センターサーバ」，「インターネット網」，「エントリー会員端末」は，それぞれ，本件補正発明１の「サーバコンピュータ」，「通信ネットワーク」，「情報端末」に相当する。
　したがって，引用例１発明と本件補正発明１とは，情報端末が，通信ネットワークを介してサーバコンピュータに接続して，該サーバコンピュータからエントリー用分割イメージデータを受信する分割イメージデータ受信手段を備えている点で共通している。
　　しかし，本件補正発明１では，受信するエントリー用分割イメージデータとして，予め設定した複数の作業単位であるエントリー用分割イメージデータファイルとして受信しているのに対し，引用例１発明では，予め設定した複数の作業単位であるエントリー用分割イメージデータファイルとして受信していない点で相違している。
（タ）引用例１発明では，「エントリー会員端末２ａ，２ｂ…は，」「モニタ等の表示装置を備え，センターサーバ１００から配信される各種ページを閲覧するための公知のブラウザプログラムがインストールされて」おり，「センターサーバ１００」が「生成して」「エントリー会員端末」に「配信し」た「入力ページには，入力作業領域２０２」「が含まれ，」「入力作業領域２０２には，抽出された分割画像が入力対象画像として上方位置に表示され」，「入力ページの配信と入力とが繰返し入力され」ている。
　ここで，引用例１発明の「エントリー会員端末」に「配信し」た「入力ページ」の「入力作業領域」に「入力対象画像として上方位置に表示され」た「抽出された分割画像」，「エントリー会員端末」が備える「モニタ等の表示装置」は，それぞれ，本件補正発明１の「受信したエントリー用」の「分割イメージ」，「情報端末が備える画面」に相当する。
　したがって，引用例１発明と本件補正発明１とは，情報端末が，受信したエントリー用の分割イメージを前記情報端末が備える画面に順次に表示する画面出力手段を備えている点で共通している。
　しかし，本件補正発明１では，受信するエントリー用分割イメージデータとして，予め設定した複数の作業単位であるエントリー用分割イメージデータファイルとして受信しているのに対し，引用例１発明では，予め設定した複数の作業単位であるエントリー用分割イメージデータファイルとして受信していない点で相違している。
（チ）引用例１発明では，「エントリー会員端末２ａ，２ｂ…は，」「文字や数字等の入力を行うことのできるキーボート等の入力装置」「を備え，」「センターサーバ１００」が「生成して」「エントリー会員端末」に「配信し」た「入力ページには，入力作業領域２０２」「が含まれ，」「入力作業領域２０２には，抽出された分割画像が入力対象画像として上方位置に表示されるともに，該入力対象画像の下方位置には，テキスト入力を行うためのテキスト入力部が設けられており，エントリー会員は，上方位置に表示された分割画像を見ながら，分割画像に含まれているカタカナを，テキストにてテキスト入力部に入力し」ている。
　ここで，引用例１発明の「表示された分割画像」，「テキストにてテキスト入力部に入力」，「キーボート等の入力装置」は，それぞれ，本件補正発明１の「順次に画面表示される個々の分割イメージ」，「テキストデータとして入力」，「入力手段」に相当する。
　したがって，引用例１発明と本件補正発明１とは，情報端末が，順次に画面表示される個々の分割イメージをテキストデータとして入力するための入力手段を備えている点で共通している。
（ツ）引用例１発明では，「エントリー会員端末」が備える「キーボート等の入力装置」を用いて，「エントリー会員は，上方位置に表示された分割画像を見ながら，分割画像に含まれているカタカナを，テキストにてテキスト入力部に入力し，入力が完了した場合には，入力完了操作（例えば，エンターキーの入力操作）を実行することで，テキスト入力部に入力されたテキストデータ（電子データ）と，分割画像の送信画像ＩＤとがセンターサーバ１００に送信され」ている。
　ここで，引用例１発明の「キーボート等の入力装置」を用いて「テキスト入力部に入力されたテキストデータ（電子データ）」，「分割画像」は，それぞれ，本件補正発明１の「入力手段を用いて入力したテキストデータ」，「分割イメージデータ」に相当する。
　したがって，引用例１発明と本件補正発明１とは，情報端末が，入力手段を用いて入力したテキストデータに，分割イメージデータを対応付ける手段を備えている点で共通している。
　しかし，本件補正発明１では，テキストデータに，分割イメージデータを対応付けてエントリー入力データを生成しているのに対し，引用例１発明では，テキストデータに，分割イメージデータを対応付けてエントリー入力データを生成していない点で相違している。
（テ）引用例１発明では，「入力されたテキストデータ（電子データ）と，分割画像の送信画像ＩＤとがセンターサーバ１００に送信され」ている。
　ここで，引用例１発明の「入力されたテキストデータ（電子データ）」，「センターサーバ」は，それぞれ，本件補正発明１の「入力したテキストデータ」，「サーバコンピュータ」に相当する。
　また，引用例１発明の「入力されたテキストデータ（電子データ）」は，本件補正発明１の「エントリー入力データ」と，「入力したテキストデータ」を含んでいる点で共通しており，互いに対応しているといえる。
　したがって，引用例１発明と本件補正発明１とは，情報端末が，入力したテキストデータを前記サーバコンピュータに送信する手段を備えている点で共通している。
　しかし，本件補正発明１では，入力したテキストデータをサーバコンピュータに送信する際に，テキストデータに，分割イメージデータを対応付けて生成したエントリー入力データとして送信しているのに対し，引用例１発明では，テキストデータに，分割イメージデータを対応付けたエントリー入力データとして送信していない点で相違している。
（ト）上記（ア）〜（テ）によれば，両者は，以下の点で一致し，また相違する。
［一致点］
「保護情報が記載された帳票からなる原本シートをスキャンニングして前記原本シートに基づくイメージデータを生成するスキャンニング手段を備えたクライアントコンピュータと，
　前記クライアントコンピュータに通信ネットワークを介して接続されるデータエントリーサービスを提供するサーバコンピュータと，
　前記通信ネットワークに接続されて前記原本シートのデータ入力を行う前記サーバコンピュータとデータ通信可能な複数の情報端末と，から成るデータエントリーシステムであって，
　前記クライアントコンピュータは，
　前記原本シートを前記スキャンニング手段によって生成した原本イメージデータを前記帳票のデータ項目のそれぞれに対応する複数の分割イメージデータに分割するイメージデータ分割手段と，
前記複数の分割イメージデータのそれぞれに分割イメージデータの識別データを付与し，前記識別データが付与された分割イメージデータを前記クライアントコンピュータの記憶部に保存する手段と，
　前記識別データが付与された複数の分割イメージデータをシャッフルして前記サーバコンピュータに前記通信ネットワークを介して送信する分割イメージデータ送信手段と，
　前記情報端末を介して入力された前記原本シートに対応するエントリー入力データを前記サーバコンピュータから受信し，該エントリー入力データに対応する分割イメージデータの前記識別データを用いて原本イメージデータに対応するテキストデータとして合成する手段と，
を備え，
　前記サーバコンピュータは，
　クライアントコンピュータから送信された，前記識別データが付与された複数の分割イメージデータを記憶部に保存するエントリー用データ受付手段と，
　複数の情報端末からのアクセスに応答して，複数のエントリー用分割イメージデータの中から前記複数の情報端末のそれぞれに個別のエントリー用分割イメージデータを選択して送信するエントリー用データ送信手段と，
　複数の情報端末から複数のエントリー用分割イメージデータに対するテキストデータを受信して，該受信したテキストデータを前記分割イメージデータに対応付けて記憶部に保存する手段と，
　記憶部に保存したテキストデータを，クライアントコンピュータに送信するエントリー入力済みデータ送信手段と，を備え，
　前記複数の情報端末のそれぞれは，
　通信ネットワークに接続された文字入力が可能なコンピュータ端末であって，
　前記コンピュータ端末の利用者が前記原本シートのデータ入力を行うエントリー者として前記サーバコンピュータにアクセス可能に登録及び認証される手段と，
　前記通信ネットワークを介して前記サーバコンピュータに接続して，該サーバコンピュータからエントリー用分割イメージデータを受信する分割イメージデータ受信手段と，
　受信したエントリー用の分割イメージを前記情報端末が備える画面に順次に表示する画面出力手段と，
　前記順次に画面表示される個々の分割イメージをテキストデータとして入力するための入力手段と，
　前記入力手段を用いて入力したテキストデータに，前記分割イメージデータを対応付ける手段と，
　入力したテキストデータを前記サーバコンピュータに送信する手段と，
　を備えたデータエントリーシステム。」
［相違点１−１］
　本件補正発明１の分割イメージデータの識別データが，暗号化されているのに対し，引用例１発明の分割イメージデータの識別データは暗号化されておらず，別途送信画像ＩＤがランダムに付与されている点。
［相違点１−２］
　本件補正発明１では，識別データが付与された分割イメージデータを保存する際に，データ項目毎に保存しているのに対し，引用例１発明では，データ項目毎に保存していない点。
［相違点１−３］
　本件補正発明１では，複数の分割イメージデータをシャッフルする際に，データ項目毎の複数の分割イメージデータを各データ項目内でシャッフルしているのに対し，引用例１発明では，データ項目毎の複数の分割イメージデータを各データ項目内でシャッフルしていない点。
［相違点１−４］
　本件補正発明１では，テキストデータとして合成する際に用いる分割イメージデータの識別データが，暗号化されており，復号して用いるのに対し，引用例１発明では，テキストデータとして合成する際に用いる分割イメージデータの識別データが，暗号化されておらず，復号して用いていない点。
［相違点１−５］
　本件補正発明１では，分割イメージデータを記憶部に保存する際に，顧客毎又は書類種別毎にまとめて１つの束（バッチ）としてバッチファイルを構成し，該バッチファイル毎に少なくとも所定の識別情報及び納期に関するバッチ情報を付加しているのに対し，引用例１発明では，バッチファイルを構成しておらず，バッチ情報を付加していない点。
［相違点１−６］
　本件補正発明１では，サーバコンピュータが，記憶部に保存されたバッチファイルの中から，バッチ情報に基づいて選択したバッチファイルを，予め設定した複数の作業単位に分割して複数のエントリー用分割イメージデータファイルとして記憶部に保存する作業ファイル作成手段を備えているのに対し，引用例１発明では，このような手段を備えていない点。
［相違点１−７］
　本件補正発明１では，サーバコンピュータから情報端末に送信・受信するエントリー用分割イメージデータとして，予め設定した複数の作業単位であるエントリー用分割イメージデータファイルとして送信・受信しているのに対し，引用例１発明では，予め設定した複数の作業単位であるエントリー用分割イメージデータファイルとして送信・受信していない点。
［相違点１−８］
　本件補正発明１では，複数のエントリー用分割イメージデータファイルに対するエントリー入力データが全て揃ったことが確認されると，記憶部に保存したバッチファイル毎に対する全てのエントリー入力データを，前記エントリー入力データに対応付けて記憶された前記分割イメージデータと共に送信ているのに対し，引用例１発明では，複数のエントリー用分割イメージデータファイルに対するエントリー入力データが全て揃ったことが確認しておらず，バッチファイル毎に対する全てのエントリー入力データを，前記エントリー入力データに対応付けて記憶された前記分割イメージデータと共に送信していない点。
［相違点１−９］
　本件補正発明１では，パーソナルコンピュータ（ＰＣ），タブレットコンピュータ，及びスマートフォンのうちの少なくともいずれかの携帯端末であるのに対し，引用例１発明では，コンピュータ端末であるものの携帯可能な端末か否か明らかでない点。
［相違点１−１０］
　本件補正発明１では，情報端末が，入力したテキストデータに，分割イメージデータを対応付けてエントリー入力データを生成・送信しているのに対し，引用例１発明では，入力したテキストデータに，分割イメージデータを対応付けてエントリー入力データを生成・送信していない点。
［相違点１−１１］
　本件補正発明１では，情報端末が，サーバコンピュータから受信した全てのエントリー入力が，予め設定された入力制限時間内に完了したか否かを確認するエントリー作業完了確認手段を備えているのに対し，引用例１発明では，そのような手段を備えていない点。
イ　判断
　相違点１−２および相違点１−３ならびに相違点１−６についての検討を行う。
［相違点１−２および相違点１−３について］
　本件補正発明１では，識別データが付与された分割イメージデータを保存する際に，データ項目毎に保存し（相違点１−２），データ項目毎の複数の分割イメージデータを各データ項目内でシャッフルしている（相違点１−３）。これらの点について，引用例１にも，引用例２または引用例３にも，記載も示唆もなく，当該構成は，引用例１発明に，引用例２記載技術あるは引用例３記載技術を適用しても，当業者が容易に想到し得たものとはいえない。
［相違点１−６について］
　本件補正発明１では，サーバコンピュータが，記憶部に保存されたバッチファイルの中から，バッチ情報に基づいて選択したバッチファイルを，予め設定した複数の作業単位に分割して複数のエントリー用分割イメージデータファイルとして記憶部に保存する作業ファイル作成手段を備えている。
　引用例２には，データエントリーシステムにおいて，複数のオペレータに前記分割エントリー用イメージをジョブとして配信することは記載されているものの，記憶部に保存されたバッチファイルの中から，バッチ情報に基づいて選択したバッチファイルを，予め設定した複数の作業単位に分割することは記載も示唆もなく，当該構成は，引用例１発明に，引用例２記載技術あるは引用例３記載技術を適用しても，当業者が容易に想到し得たものとはいえない。
　したがって，本件補正発明１は，引用例１発明および引用例２記載事項ならびに引用例３記載事項から，当業者が容易に想到し得たものとはいえない。
（２）本件補正発明２との対比・判断
　本件補正発明２と引用例１発明とを対比する。
（ア）本件補正発明２は，データエントリーシステムの技術分野に属し，個人情報を含む帳票類を電子データ化するデータエントリーの過程における情報漏洩を防止し，データ入力を行うエントリー者として広く一般の人でも行えるデータエントリーシステムを提供することを課題としている（段落０００１，０００７）。
　引用例１発明は，データエントリーシステムの技術分野に属し，サービス提供機関に個人情報等の保護情報が知得されてしまうことにより保護情報が漏洩してしまうことを防止することのできるデータエントリーシステムを提供することを課題としている（段落０００４，０００５）。
　したがって，引用例１発明と本件補正発明２とは，データエントリーシステムという共通の技術分野に属し，また，個人情報等の漏洩を防止するという共通の課題を有しているといえる。
（イ）引用例１発明は，「保護情報が漏洩してしまうことを防止することのできるデータエントリーシステム」であって，「クライアント端末１ａ，１ｂ，…には，個々のクライアントにて使用している申込書等の帳票をイメージデータとしてクライアント端末１ａ，１ｂ，…に入力するためのイメージデータ入力手段であるスキャナー１１ａ，１１ｂ，…が接続されて」いる。
　ここで，引用例１発明の「申込書等の帳票」，「イメージデータとして・・・入力するためのイメージデータ入力手段であるスキャナー」，「クライアント端末」は，それぞれ，本件補正発明２の「保護情報が記載された帳票からなる原本シート」，「スキャンニングして・・・イメージデータを生成するスキャンニング手段」，「原稿読み取り装置」に相当する。
　したがって，引用例１発明と本件補正発明２とは，保護情報が記載された帳票からなる原本シートをスキャンニングして前記原本シートに基づくイメージデータを生成するスキャンニング手段を備えた原稿読み取り装置を備えている点で共通している。
（ウ）引用例１発明は，「データエントリーサービスを提供するサービス提供機関が運営するセンターサーバ」を備え，「センターサーバ１００は，クライアント端末１ａ，１ｂ，…と，エントリー会員端末２ａ，２ｂ…と，オープンコンピュータネットワークであるインターネット網を介して接続されて」いる。
　ここで，引用例１発明の「クライアント端末」，「オープンコンピュータネットワークであるインターネット網」，「センターサーバ」は，それぞれ，本件補正発明２の「原稿読み取り装置」，「通信ネットワーク」，「サーバコンピュータ」に相当する。
　したがって，引用例１発明と本件補正発明２とは，原稿読み取り装置に通信ネットワークを介して接続されるデータエントリーサービスを提供するサーバコンピュータを備えている点で共通している。
（エ）引用例１発明は，「センターサーバ」と「クライアント端末」と「サービス提供機関に入力作業（エントリー）を行う会員として事前に登録したエントリー会員が操作可能なインターネット端末であるエントリー会員端末２ａ，２ｂ…と，から構成されているデータエントリーシステムであって，」「センターサーバ１００は，クライアント端末１ａ，１ｂ，…と，エントリー会員端末２ａ，２ｂ…と，オープンコンピュータネットワークであるインターネット網を介して接続されており，該インターネット網を介して各種のデータの送受信が可能であり，」「スキャナー１１ａから帳票画像（イメージ）を取り込む画像取り込み処理を実施した後，該取り込んだ帳票画像を，分割テンプレートを用いて分割する画像分割処理を実行し，」「エントリー会員は，上方位置に表示された分割画像を見ながら，分割画像に含まれているカタカナを，テキストにてテキスト入力部に入力し」ている。
　ここで，引用例１発明の「オープンコンピュータネットワークであるインターネット網」，「帳票」，「入力作業（エントリー）」，「センターサーバ」，「データの送受信が可能」，「エントリー会員端末２ａ，２ｂ…」は，それぞれ，本件補正発明２の「通信ネットワーク」，「原本シート」，「データ入力」，「サーバコンピュータ」，「データ通信可能」，「複数の情報端末」に相当する。
　したがって，引用例１発明と本件補正発明２とは，通信ネットワークに接続されて原本シートのデータ入力を行うサーバコンピュータとデータ通信可能な複数の情報端末を備えたデータエントリーシステムである点で共通している。
（オ）引用例１発明では，「クライアント端末１ａにおいてクライアント用のアプリケーションプログラム（以下，クライアントアプリと略記する）を起動し，操作者の画像取り込み操作の受付けに応じて，スキャナー１１ａから帳票画像（イメージ）を取り込む画像取り込み処理を実施した後，該取り込んだ帳票画像を，分割テンプレートを用いて分割する画像分割処理を実行し」，「各分割画像に，分割元の帳票画像（イメージ）を特定するための帳票イメージＩＤと項目番号とか成る分割画像ＩＤを付与して」，「各分割画像に送信画像ＩＤをランダムに付与し，」「送信画像ＩＤの下３桁には，アルファベットの組み合わせが使用されていて，これら組み合わせがアルファベットの上位（ａａａ，ａａｂ，ａａｃ，ａａｄ…）となる順に再配列されることでシャッフルされて，センターサーバ１００に種別コードと送信画像ＩＤとともに分割画像が送信され」ており，「センターサーバ１００は，クライアント端末１ａ，１ｂ，…と，」「オープンコンピュータネットワークであるインターネット網を介して接続されており，該インターネット網を介して各種のデータの送受信が可能であ」る。
　ここで，引用例１発明の「クライアント端末」，「帳票」，「スキャナー」，「帳票画像（イメージ）」，「センターサーバ」，「インターネット網」は，それぞれ，本件補正発明２の「原稿読み取り装置」「原本シート」，「スキャンニング手段」，「原本イメージデータ」，「サーバコンピュータ」，「通信ネットワーク」に相当する。
　したがって，引用例１発明と本件補正発明２とは，原本シートに基づく原本イメージデータをサーバコンピュータに通信ネットワークを介して送信するイメージデータ送信手段を備えている点で共通している。
　しかし，本件補正発明２では，原稿読み取り装置が原本イメージデータをそのままサーバコンピュータに送信しているのに対し，引用例１発明では，原本イメージデータを分割およびシャッフルして送信している点で相違している。
（カ）引用例１発明では，「エントリー会員端末」の「表示装置」に表示された「入力ページ」内の「テキスト入力部に入力されたテキストデータ（電子データ）と，分割画像の送信画像ＩＤとがセンターサーバ１００に送信されて」ている。
　ここで，引用例１発明の「エントリー会員端末」，「分割画像」，「入力されたテキストデータ（電子データ）」，「センターサーバ１００に送信」，「所定の記憶領域に記憶」は，それぞれ，本件補正発明２の「情報端末」，「エントリー用分割イメージデータ」，「エントリー入力データ」，「サーバコンピュータ」が「受信」に相当する。
　したがって，引用例１発明と本件補正発明２とは，サーバコンピュータが，複数の情報端末から複数のエントリー用分割イメージデータに対するエントリー入力データを受信する手段を備えている点で共通している。
　しかし，本件補正発明２では，サーバコンピュータが，受信したエントリー入力データが全て揃ったことが確認されると，バッチファイル毎に対応する全てのエントリー入力データを，前記エントリー入力データに付与された暗号化した識別データを復号して原本イメージデータに対応するテキストデータとして合成する手段を備えているのに対し，引用例１発明では，サーバコンピュータがこのような構成を備えていない点で相違している。
（キ）引用例１発明では，「エントリー会員端末２ａ，２ｂ…は，インターネット網を利用する不特定多数のインターネット利用者が使用しているインターネット端末であって，文字や数字等の入力を行うことのできるキーボート等の入力装置や，モニタ等の表示装置を備え，センターサーバ１００から配信される各種ページを閲覧するための公知のブラウザプログラムがインストールされているコンピュータ端末であ」る。
　ここで，引用例１発明の「エントリー会員端末２ａ，２ｂ…」，「インターネット網」，「文字や数字等の入力を行うことのできる」は，それぞれ，本件補正発明２の「複数の情報端末」，「通信ネットワーク」，「文字入力が可能」に相当する。
　したがって，引用例１発明と本件補正発明２とは，通信ネットワークに接続された文字入力が可能なコンピュータ端末である点で共通している。
　しかし，本件補正発明２では，情報端末が，パーソナルコンピュータ（ＰＣ），タブレットコンピュータ，及びスマートフォンのうちの少なくともいずれかの携帯端末であるのに対し，引用例１発明では，情報端末が，コンピュータ端末であるものの携帯可能な端末か否か明らかでない点で相違している。
（ク）引用例１発明では，「入力作業を行うために会員登録したエントリー会員は，入力作業を行うことのできる空き時間等に，センターサーバ１００のサイトにアクセスすることにより配信されるログインページにおいて，会員ＩＤとパスワードを入力してサイトにログインし，センターサーバ１００は，ログインページにおいて入力された会員ＩＤとパスワードを，エントリー会員データベース（ＤＢ）に記憶されているデータと照合し，照合結果が照合ＯＫであるときに，当該会員の会員ページを生成して配信し」ている。
　ここで，引用例１発明の「入力作業を行うために会員登録したエントリー会員」，「センターサーバ」，「会員登録」，「会員ＩＤとパスワードを入力してサイトにログイン」は，それぞれ，本件補正発明２の「携帯端末の利用者」である「原本シートのデータ入力を行うエントリー者」，「サーバコンピュータ」，「登録」，「認証」に相当する。
　したがって，引用例１発明と本件補正発明２とは，情報端末が，情報端末の利用者が原本シートのデータ入力を行うエントリー者としてサーバコンピュータにアクセス可能に登録及び認証される手段を備えている点で共通している。
（ケ）引用例１発明では，「センターサーバ１００は，」「エントリー会員端末２ａ，２ｂ…と，オープンコンピュータネットワークであるインターネット網を介して接続されており，該インターネット網を介して各種のデータの送受信が可能であり，」「センターサーバ１００は，」「抽出した分割画像を含む，入力ページを生成して配信し」ている。
　ここで，引用例１発明の「センターサーバ」，「インターネット網」，「エントリー会員端末」は，それぞれ，本件補正発明２の「サーバコンピュータ」，「通信ネットワーク」，「情報端末」に相当する。
　したがって，引用例１発明と本件補正発明２とは，情報端末が，通信ネットワークを介してサーバコンピュータに接続して，該サーバコンピュータからエントリー用分割イメージデータを受信する分割イメージデータ受信手段を備えている点で共通している。
　しかし，本件補正発明２では，受信するエントリー用分割イメージデータとして，予め設定した複数の作業単位であるエントリー用分割イメージデータファイルとして受信しているのに対し，引用例１発明では，予め設定した複数の作業単位であるエントリー用分割イメージデータファイルとして受信していない点で相違している。
（コ）引用例１発明では，「エントリー会員端末２ａ，２ｂ…は，」「モニタ等の表示装置を備え，センターサーバ１００から配信される各種ページを閲覧するための公知のブラウザプログラムがインストールされて」おり，「センターサーバ１００」が「生成して」「エントリー会員端末」に「配信し」た「入力ページには，入力作業領域２０２」「が含まれ，」「入力作業領域２０２には，抽出された分割画像が入力対象画像として上方位置に表示され」，「入力ページの配信と入力とが繰返し入力され」ている。
　ここで，引用例１発明の「エントリー会員端末」に「配信し」た「入力ページ」の「入力作業領域」に「入力対象画像として上方位置に表示され」た「抽出された分割画像」，「エントリー会員端末」が備える「モニタ等の表示装置」は，それぞれ，本件補正発明２の「受信したエントリー用」の「分割イメージ」，「情報端末が備える画面」に相当する。
　したがって，引用例１発明と本件補正発明２とは，情報端末が，受信したエントリー用の分割イメージを前記情報端末が備える画面に順次に表示する画面出力手段を備えている点で共通している。
　しかし，本件補正発明２では，受信するエントリー用分割イメージデータとして，予め設定した複数の作業単位であるエントリー用分割イメージデータファイルとして受信しているのに対し，引用例１発明では，予め設定した複数の作業単位であるエントリー用分割イメージデータファイルとして受信していない点で相違している。
（サ）引用例１発明では，「エントリー会員端末２ａ，２ｂ…は，」「文字や数字等の入力を行うことのできるキーボート等の入力装置」「を備え，」「センターサーバ１００」が「生成して」「エントリー会員端末」に「配信し」た「入力ページには，入力作業領域２０２」「が含まれ，」「入力作業領域２０２には，抽出された分割画像が入力対象画像として上方位置に表示されるともに，該入力対象画像の下方位置には，テキスト入力を行うためのテキスト入力部が設けられており，エントリー会員は，上方位置に表示された分割画像を見ながら，分割画像に含まれているカタカナを，テキストにてテキスト入力部に入力し」ている。
　ここで，引用例１発明の「表示された分割画像」，「テキストにてテキスト入力部に入力」，「キーボート等の入力装置」は，それぞれ，本件補正発明２の「順次に画面表示される個々の分割イメージ」，「テキストデータとして入力」，「入力手段」に相当する。
　したがって，引用例１発明と本件補正発明２とは，情報端末が，順次に画面表示される個々の分割イメージをテキストデータとして入力するための入力手段を備えている点で共通している。
（シ）引用例１発明では，「エントリー会員端末」が備える「キーボート等の入力装置」を用いて，「エントリー会員は，上方位置に表示された分割画像を見ながら，分割画像に含まれているカタカナを，テキストにてテキスト入力部に入力し，入力が完了した場合には，入力完了操作（例えば，エンターキーの入力操作）を実行することで，テキスト入力部に入力されたテキストデータ（電子データ）と，分割画像の送信画像ＩＤとがセンターサーバ１００に送信され」ている。
　ここで，引用例１発明の「キーボート等の入力装置」を用いて「テキスト入力部に入力されたテキストデータ（電子データ）」，「分割画像」は，それぞれ，本件補正発明２の「入力手段を用いて入力したテキストデータ」，「分割イメージデータ」に相当する。
　したがって，引用例１発明と本件補正発明２とは，情報端末が，入力手段を用いて入力したテキストデータに，分割イメージデータを対応付ける手段を備えている点で共通している。
　しかし，本件補正発明２では，テキストデータに，分割イメージデータを対応付けてエントリー入力データを生成しているのに対し，引用例１発明では，テキストデータに，分割イメージデータを対応付けてエントリー入力データを生成していない点で相違している。
（ス）引用例１発明では，「入力されたテキストデータ（電子データ）と，分割画像の送信画像ＩＤとがセンターサーバ１００に送信され」ている。
　ここで，引用例１発明の「入力されたテキストデータ（電子データ）」，「センターサーバ」は，それぞれ，本件補正発明２の「入力したテキストデータ」，「サーバコンピュータ」に相当する。
　また，引用例１発明の「入力されたテキストデータ（電子データ）」は，本件補正発明２の「エントリー入力データ」と，「入力したテキストデータ」を含んでいる点で共通しており，互いに対応しているといえる。
　したがって，引用例１発明と本件補正発明２とは，情報端末が，入力したテキストデータを前記サーバコンピュータに送信する手段を備えている点で共通している。
　しかし，本件補正発明２では，入力したテキストデータをサーバコンピュータに送信する際に，テキストデータに，分割イメージデータを対応付けて生成したエントリー入力データとして送信しているのに対し，引用例１発明では，テキストデータに，分割イメージデータを対応付けたエントリー入力データとして送信していない点で相違している。
（セ）上記（ア）〜（ス）によれば，両者は，以下の点で一致し，また相違する。
［一致点］
「保護情報が記載された帳票からなる原本シートをスキャンニングして前記原本シートに基づくイメージデータを生成するスキャンニング手段を備えた原稿読み取り装置と，
　前記原稿読み取り装置に通信ネットワークを介して接続されるデータエントリーサービスを提供するサーバコンピュータと，
　前記通信ネットワークに接続されて前記原本シートのデータ入力を行う前記サーバコンピュータとデータ通信可能な複数の情報端末と，から成るデータエントリーシステムであって，
　前記原稿読み取り装置は，
　保護情報が記載された帳票からなる原本シートをスキャンニングして原本シートに基づく原本イメージデータを生成するスキャンニング手段と，
前記原本シートに基づくイメージデータを前記サーバコンピュータに前記通信ネットワークを介して送信するイメージデータ送信手段と，を備え，
　前記サーバコンピュータは，
　複数の情報端末から複数のエントリー用分割イメージデータに対するエントリー入力データを受信する手段，を備え，
　前記複数の情報端末のそれぞれは，
　通信ネットワークに接続された文字入力が可能なコンピュータ端末であって，
　前記コンピュータ端末の利用者が前記原本シートのデータ入力を行うエントリー者として前記サーバコンピュータにアクセス可能に登録及び認証される手段と，
　前記通信ネットワークを介して前記サーバコンピュータに接続して，該サーバコンピュータからエントリー用分割イメージデータを受信する分割イメージデータ受信手段と，
　受信したエントリー用の分割イメージを前記情報端末が備える画面に順次に表示する画面表示手段と，
　前記順次に画面表示される個々の分割イメージをテキストデータとして入力するための入力手段と，
　前記入力手段を用いて入力したテキストデータに，前記分割イメージデータを対応付ける手段と，
　入力したテキストデータを前記サーバコンピュータに送信する手段と，
　を備えたデータエントリーシステム。」
［相違点２−１］
　本件補正発明２では，原稿読み取り装置が原本イメージデータをそのままサーバコンピュータに送信しているのに対し，引用例１発明では，原本イメージデータを分割およびシャッフルして送信している点。
［相違点２−２］
　本件補正発明２では，サーバコンピュータが，原稿読み取り装置から送信された原本イメージデータを受信して，該受信した原本イメージデータを前記帳票のデータ項目のそれぞれに対応する複数の分割イメージデータに分割するイメージデータ分割手段と，前記複数の分割イメージデータのそれぞれに暗号化した識別データを付与し，前記暗号化した識別データが付与された分割イメージデータをそれぞれ対応するデータ項目毎にサーバコンピュータの記憶部に保存する暗号化識別データ付与手段を備えているのに対し，引用例１発明では，サーバコンピュータがこれらの構成を備えていない点。
［相違点２−３］
　本件補正発明２では，サーバコンピュータが，原稿読み取り装置から受信した原本イメージデータに対して，該原本イメージデータのそれぞれに対応する暗号化した識別データが付与された複数の分割イメージデータを１つの束（バッチ）にまとめてバッチファイルを構成し，該バッチファイル毎に少なくとも所定の識別情報及び納期に関するバッチ情報を付加し，前記暗号化した識別データが付与されたデータ項目毎の複数の分割イメージデータを各データ項目内でシャッフルして記憶部に保存するエントリー用データ受付け手段と，前記記憶部に保存された前記バッチファイルの中から，前記バッチ情報に基づいて選択したバッチファイルを，予め設定した複数の作業単位に分割して複数のエントリー用分割イメージデータファイルとして前記記憶部に保存する作業ファイル作成手段と，複数の情報端末からのアクセスに応答して，前記複数のエントリー用分割イメージデータファイルの中から前記複数の情報端末のそれぞれに個別のエントリー用分割イメージデータファイルを選択して送信するエントリー用データ送信手段とを備えているのに対し，引用例１発明では，サーバコンピュータが，これらの構成を備えていない点。
［相違点２−４］
　本件補正発明２では，サーバコンピュータが，受信したエントリー入力データが全て揃ったことが確認されると，バッチファイル毎に対応する全てのエントリー入力データを，前記エントリー入力データに付与された暗号化した識別データを復号して原本イメージデータに対応するテキストデータとして合成する手段を備えているのに対し，引用例１発明では，サーバコンピュータがこのような構成を備えていない点。
［相違点２−５］
　本件補正発明２では，情報端末が，パーソナルコンピュータ（ＰＣ），タブレットコンピュータ，及びスマートフォンのうちの少なくともいずれかの携帯端末であるのに対し，引用例１発明では，情報端末が，コンピュータ端末であるものの携帯可能な端末か否か明らかでない点。
［相違点２−６］
　本件補正発明２では，サーバコンピュータから情報端末に送信・受信するエントリー用分割イメージデータとして，予め設定した複数の作業単位であるエントリー用分割イメージデータファイルとして送信・受信しているのに対し，引用例１発明では，予め設定した複数の作業単位であるエントリー用分割イメージデータファイルとして送信・受信していない点。
［相違点２−７］
　本件補正発明２では，情報端末が，入力したテキストデータに，分割イメージデータを対応付けてエントリー入力データを生成・送信しているのに対し，引用例１発明では，入力したテキストデータに，分割イメージデータを対応付けてエントリー入力データを生成・送信していない点。
［相違点２−８］
　本件補正発明２では，情報端末が，サーバコンピュータから受信した全てのエントリー入力が，予め設定された入力制限時間内に完了したか否かを確認するエントリー作業完了確認手段を備えているのに対し，引用例１発明では，そのような手段を備えていない点。
イ　判断
　相違点２−３についての検討を行う。
［相違点２−３について］
　本件補正発明では，サーバコンピュータが，原稿読み取り装置から受信した原本イメージデータに対して，該原本イメージデータのそれぞれに対応する暗号化した識別データが付与された複数の分割イメージデータを１つの束（バッチ）にまとめてバッチファイルを構成し，該バッチファイル毎に少なくとも所定の識別情報及び納期に関するバッチ情報を付加し，前記暗号化した識別データが付与されたデータ項目毎の複数の分割イメージデータを各データ項目内でシャッフルして記憶部に保存するエントリー用データ受付け手段と，前記記憶部に保存された前記バッチファイルの中から，前記バッチ情報に基づいて選択したバッチファイルを，予め設定した複数の作業単位に分割して複数のエントリー用分割イメージデータファイルとして前記記憶部に保存する作業ファイル作成手段と，複数の情報端末からのアクセスに応答して，前記複数のエントリー用分割イメージデータファイルの中から前記複数の情報端末のそれぞれに個別のエントリー用分割イメージデータファイルを選択して送信するエントリー用データ送信手段とを備えている。
　引用例２には，データエントリーシステムにおいて，複数のオペレータに前記分割エントリー用イメージをジョブとして配信することは記載されているものの，記憶部に保存されたバッチファイルの中から，バッチ情報に基づいて選択したバッチファイルを，予め設定した複数の作業単位に分割することは記載も示唆もなく，当該構成は，引用例１発明に，引用例２記載技術あるは引用例３記載技術を適用しても，当業者が容易に想到し得たものとはいえない。
　また，暗号化した識別データが付与されたデータ項目毎の複数の分割イメージデータを各データ項目内でシャッフルして記憶部に保存する構成についても，引用例１にも，引用例２または引用例３にも，記載も示唆もなく，当該構成は，引用例１発明に，引用例２記載技術あるは引用例３記載技術を適用しても，当業者が容易に想到し得たものとはいえない。
　したがって，本件補正発明２は，引用例１発明および引用例２記載事項ならびに引用例３記載事項から，当業者が容易に想到し得たものとはいえない。
（３）まとめ
　したがって，本件補正発明１および２は，いずれも，上記（１）イおよび（２）イのとおり，引用例１ないし３に基づいて当業者が容易に発明できたものではない。
　　よって，本件補正の請求項１および２に係る補正事項は，特許法第１７条の２第６項において準用する同法第１２６条第７項の規定に適合する。
　本件補正のその余の補正事項についても，特許法第１７条の２第３項ないし第６項に違反するところはない。
３．むすび
　本件補正は，特許法第１７条の２第３項ないし第６項の規定に適合する。
第３　本願発明
　本件補正は，特許法第１７条の２第３項ないし第６項の規定に適合するから，本願の請求項１ないし６に係る発明は，本件補正により補正された特許請求の範囲の請求項１ないし６に記載された事項により特定されるとおりのものである。本件補正発明１および２は，いずれも，上記のとおり，引用例１ないし３に基づいて当業者が容易に発明できたものとはいえない。また，請求項３ないし６に係る発明は本件補正発明１または２にさらに限定を加えたものであるから，引用例１ないし３に基づいて当業者が容易に発明できたものとはいえない。
　そして，本願については，原査定の拒絶理由を検討してもその理由によって拒絶すべきものとすることはできない。 
　また，他に本願を拒絶すべき理由を発見しない。 
　よって，結論のとおり審決する。